(57)【要約】【課題】遊技領域を好適に拡張することのできる遊技機を提供する。【解決手段】遊技盤８０を支持する内枠ベース体５０を有する内枠１３が外枠に対して回動可能に取り付けられている。内枠１３の回動先端部には内枠１３を閉状態で施錠する施錠装置７５が設けられている。内枠ベース体５０は、上下に延びる一組の縦フレーム部材５１，５２と、それら縦フレーム部材５１，５２を繋ぐ横フレーム部材５３，５４とを有し、それらフレーム部材５１〜５４によって囲まれた領域に遊技盤８０が収容されている。内枠１３の回動先端側に位置する縦フレーム部材５２は上下に延びる長板部を有し、長板部はその内面が遊技盤８０の端面と対向しその外面が施錠装置７５の取付面となっている。施錠装置７５は、内枠用鉤部材等が搭載される板状部が形成されたベース体を有してなり、板状部が長板部の外面と対向するようにして固定されている。【選択図】      図５
2014018549.tif 000002
【特許請求の範囲】
【請求項１】
前面に遊技領域が形成された遊技盤と、
前記遊技盤を支持する支持枠と
を備え、
外枠に対して前記支持枠が回動可能に取り付けられた遊技機であって、
前記支持枠における回動先端部に設けられ、前記支持枠を前記外枠に対して閉じた状態で施錠する施錠装置を備え、
前記支持枠は、上下に延びる一組の縦枠フレーム部材と、それら各縦枠フレーム部材の上下異なる二箇所をそれぞれ繋ぐようにして設けられた横枠フレーム部材とが組み合わされてなり、それら各フレーム部材によって囲まれた空間が前記遊技盤を収容する収容領域となるように構成されており、
前記両縦枠フレーム部材のうち前記支持枠の回動先端側に配置された一方は、上下に延びる長板部を有し、前記長板部はその内面が前記遊技盤の端面と対向しその外面が前記施錠装置の取付面となっており、
前記施錠装置は、前記外枠に設けられた鉤受け部材に係合する鉤部材と、所定の解錠操作に基づいて動作することで前記鉤部材を係合状態から非係合状態に切り替え可能な連動部材と、それら鉤部材及び連動部材が搭載される取付板部が形成されたベース体とを有してなり、前記取付板部が前記長板部の前記外面と対向するようにして配置されていることを特徴とする遊技機。
【請求項２】
前記施錠装置が前記縦枠フレーム部材に取り付けられた状態では前記取付板部と前記長板部とが隙間を隔てて相対向し、それら取付板部及び長板部によって挟まれた空間が前記鉤部材及び前記連動部材を収容する収容領域として機能していることを特徴とする請求項１に記載の遊技機。
【請求項３】
前記取付板部には、その長手方向に延びるフランジ部が前記長板部側に起立するようにして形成されており、
前記施錠装置が前記長板部に固定された状態にて前記フランジ部が前記長板部に当接することにより、前記収容領域が前記長板部、前記取付板部及び前記フランジ部によって囲まれた領域となるように構成されていることを特徴とする請求項２に記載の遊技機。
【請求項４】
前記長板部の前端部には、前記遊技盤とは反対側に起立し遊技機正面側を向くように形成された前面部と、その前面部から遊技機後方へ折り返して形成された折返部とが形成され、それら取付板部、前面部及び折返部によって前記ベース体の前端部が挿入される挿入部が形成されており、
前記挿入部及び前記ベース体は、前記挿入部に前記ベース体が遊技機後方から挿入されることにより前記縦枠フレーム部材と前記ベース体とが嵌合するように構成されていることを特徴とする請求項１乃至請求項３のいずれか１つに記載の遊技機。
【請求項５】
前記遊技盤における一端側に設けられ、遊技球発射装置から発射された遊技球を前記遊技領域へと誘導する誘導レールを備え、
前記一組の縦枠フレーム部材のうち前記誘導レールが設けられている側とは反対側に位置する前記縦枠フレーム部材の前記長板部は、遊技盤の端面に対して側方から対向しており、
前記長板部の前端部は前記遊技盤よりも前方に延出する延出部となっており、当該延出部が前記誘導レールとともに前記遊技領域を区画形成しており、
前記延出部において前記遊技領域とは反対側を向いている部分に前記挿入部が設けられていることを特徴とする請求項４に記載の遊技機。
【請求項６】
前記支持枠を遊技機前方から覆う扉体を備え、
前記扉体の外周部には、前記支持枠側に突出する突条部が形成されており、
前記縦枠フレーム部材において前記挿入部とは反対側となる部分には、前記突条部の先端部分が収容される収容凹部が形成されていることを特徴とする請求項４又は請求項５に記載の遊技機。
【請求項７】
前記施錠装置は、鍵による解錠操作の対象としての解錠操作部を有し、
前記解錠操作部は、前記縦枠フレーム部材を挟んで前記ベース体とは反対側に配置されていることを特徴とする請求項１乃至請求項６のいずれか１つに記載の遊技機。
【発明の詳細な説明】
【技術分野】
【０００１】
本発明は、遊技機に関するものである。
【背景技術】
【０００２】
パチンコ機等の遊技機には、前面に遊技領域が形成された遊技盤を枠体に搭載してなるものがある。遊技者の発射操作に基づいて発射された遊技球が遊技領域に設けられた入球部に入賞することにより、通常の遊技状態よりも遊技者に有利な特別遊技状態への移行を行うか否かの当否抽選や遊技球の払出し等の特典が遊技者に付与される（例えば特許文献１参照）。
【０００３】
この種の遊技機においては、入球部への入賞を契機として図柄の変動表示を行う図柄表示装置や図柄の変動表示に合わせて動作することにより当否抽選結果の示唆等を行う可動役物等の遊技演出にかかる各種遊技機器が遊技領域に配置されることにより遊技機への注目度の向上が図られているものがある。このような構成とすることで、入球部へ向けた遊技球の動き、入賞に基づく特典の享受、特典の享受に到るプロセス（演出）が一体となり、遊技機の興趣向上が実現されている。また、遊技機の見栄え向上を目的とする装飾部材等の遊技部品を遊技領域に配置することで上記注目度の向上を図ったものもある。特に、近年では遊技領域に配置された遊技機器等の大型化によってよりインパクトの強い演出等を可能とし、遊技者の注目度の向上が図られているものがある。
【先行技術文献】
【特許文献】
【０００４】
【特許文献１】特開２００３−１９０５１１号公報
【発明の概要】
【発明が解決しようとする課題】
【０００５】
しかしながら、上述したタイプの遊技機においては、遊技球の動きを目で追える構成としたこと自体が遊技機本来の興趣向上手段となっている。このため、上記遊技機器や遊技部品の大型化等を行う場合には、遊技球の流下領域の担保が前提となり得る。遊技領域にてこれら流下領域及び遊技機器等を共存させようとした場合には、例えば遊技領域自体を拡張することが有効な解決手段となり得るが、遊技ホールの島設備との関係から遊技機の横幅に一定の制限が設けられている等の理由からそのような対応が困難なのが実状である。言い換えれば、遊技領域の拡張等を実現して流下領域及び遊技機器等の共存等を図る上では、遊技機の構造に未だ改良の余地がある。
【０００６】
本発明は、上記例示した事情等に鑑みてなされたものであり、遊技領域を好適に拡張することのできる遊技機を提供することを目的とするものである。
【課題を解決するための手段】
【０００７】
以下、上記課題を解決するための手段について記載する。
【０００８】
請求項１記載の発明は、
前面に遊技領域が形成された遊技盤と、
前記遊技盤を支持する支持枠と
を備え、
外枠に対して前記支持枠が回動可能に取り付けられた遊技機であって、
前記支持枠における回動先端部に設けられ、前記支持枠を前記外枠に対して閉じた状態で施錠する施錠装置を備え、
前記支持枠は、上下に延びる一組の縦枠フレーム部材と、それら各縦枠フレーム部材の上下異なる二箇所をそれぞれ繋ぐようにして設けられた横枠フレーム部材とが組み合わされてなり、それら各フレーム部材によって囲まれた空間が前記遊技盤を収容する収容領域となるように構成されており、
前記両縦枠フレーム部材のうち前記支持枠の回動先端側に配置された一方は、上下に延びる長板部を有し、前記長板部はその内面が前記遊技盤の端面と対向しその外面が前記施錠装置の取付面となっており、
前記施錠装置は、前記外枠に設けられた鉤受け部材に係合する鉤部材と、所定の解錠操作に基づいて動作することで前記鉤部材を係合状態から非係合状態に切り替え可能な連動部材と、それら鉤部材及び連動部材が搭載される取付板部が形成されたベース体とを有してなり、前記取付板部が前記長板部の前記外面と対向するようにして配置されていることを特徴とする。
【発明の効果】
【０００９】
遊技領域を好適に拡張することができる。
【図面の簡単な説明】
【００１０】
【図１】第１の実施の形態におけるパチンコ機を示す正面図である。
【図２】パチンコ機を前方から見た斜視図である。
【図３】パチンコ機の主要な構成を展開して示す斜視図である。
【図４】パチンコ機の主要な構成を展開して示す斜視図である。
【図５】内枠の構成を示す正面図である。
【図６】遊技盤の構成を示す正面図である。
【図７】内枠の構成を示す背面図である。
【図８】パチンコ機の背面図である。
【図９】裏パックユニットを示す正面図である。
【図１０】（ａ）外枠を遊技機前方から見た斜視図、（ｂ）外枠を遊技機後方から見た斜視図である。
【図１１】内枠の構成を示す斜視図である。
【図１２】内枠から施錠装置を取外した状態を示す斜視図である。
【図１３】（ａ）施錠装置の斜視図、（ｂ）施錠装置の側面図である。
【図１４】施錠装置を主要な構成毎に分解して示す斜視図である。
【図１５】施錠装置の動作説明図である。
【図１６】施錠装置の動作説明図である。
【図１７】遊技盤、縦フレーム部材、施錠装置の関係を示す部分断面図である。
【図１８】第２の実施の形態における内枠の構成を示す正面図である。
【図１９】図１８のＡ−Ａ線部分断面図である。
【図２０】（ａ）第３の実施の形態における内枠の構成を示す正面図、（ｂ）図２０（ａ）のＢ−Ｂ線部分断面図である。
【図２１】縦フレーム部材の変形例を示す概略図である。
【発明を実施するための形態】
【００１１】
＜第１の実施の形態＞
以下、遊技機の一種であるパチンコ遊技機（以下、「パチンコ機」という）の第１の実施の形態を、図面に基づいて詳細に説明する。図１はパチンコ機１０の正面図、図２はパチンコ機１０を正面側から見た斜視図、図３及び図４はパチンコ機１０の主要な構成を展開して示す斜視図である。なお、図３では便宜上パチンコ機１０における遊技領域内の構成を省略している。
【００１２】
図１に示すように、パチンコ機１０は、当該パチンコ機１０の外殻を形成する外枠１１と、この外枠１１に取り付けられた遊技機主部１２とにより構成されている。
【００１３】
図２に示すように、外枠１１は長尺状のフレーム材を四辺に連結し構成されるものであって全体として矩形枠状をなすように形成されている。この外枠１１を島設備に取り付け固定することにより、パチンコ機１０が遊技ホールに設置される。なお、パチンコ機１０において外枠１１は必須の構成ではなく、遊技ホールの島設備等に外枠１１が備え付けられた構成としてもよい。
【００１４】
遊技機主部１２は、外枠１１によって開閉可能な状態で支持されている。具体的には、外枠１１における上枠部と左枠部との連結部分に上側支持用金具１７が固定されており、さらに外枠１１における下枠部と左枠部との連結部分に下側支持用金具１８が設けられている。これら上側支持用金具１７及び下側支持用金具１８により支持機構が構成され、当該支持機構により外枠１１に対して遊技機主部１２がパチンコ機１０の正面視で左側を回動基端側、右側を回動先端側としてパチンコ機１０の前方へ回動可能とされている（図３及び図４参照）。
【００１５】
図３及び図４に示すように、遊技機主部１２は、ベース体としての内枠１３と、その内枠１３の前方に配置される前扉枠１４と、内枠１３の後方に配置される裏パックユニット１５とを備えている。なお、遊技機主部１２のうち内枠１３が外枠１１に対して回動可能に支持されている。詳細には、遊技機正面視で左側を回動基端側とし右側を回動先端側として内枠１３が前方へ回動可能とされている。
【００１６】
内枠１３には、前扉枠１４が回動可能に支持されており、遊技機正面視で左側を回動基端側とし右側を回動先端側として前方へ回動可能とされている。また、内枠１３には、裏パックユニット１５が回動可能に支持されており、遊技機正面視で左側を回動基端側とし右側を回動先端側として後方へ回動可能とされている。
【００１７】
（前扉枠１４）
次に、前扉枠１４について説明する。図１に示すように、前扉枠１４は、外形が外枠１１とほぼ同一形状をなす合成樹脂製の枠体２０を主体に構成されており、内枠１３における前面のほぼ全域を覆っている。枠体２０の中央部分には後述する遊技領域ＰＥのほぼ全域を前方から視認することができるようにした略楕円状の窓部２１が形成されており、その窓部２１はガラスユニット２２によって同前扉枠１４の背面側から塞がれている。
【００１８】
ガラスユニット２２は、透明性を有する複数のガラスパネル２３と、それらガラスパネル２３を保持するガラスホルダとを備えている。ガラスホルダには、ガラスパネル２３の保持領域を前後に仕切る仕切り部が形成されており、両ガラスパネル２３は仕切り部を挟んで前後に相対向している。つまり、両ガラスパネル２３の間に所定の隙間を確保することにより、ガラスパネル２３同士の干渉を回避しつつ、それらガラスパネル２３によって遊技領域ＰＥをパチンコ機１０の正面側から２重に覆った状態となっている。
【００１９】
なお、必ずしも両ガラスパネル２３をガラスホルダを用いてユニット化する必要は無く、各ガラスパネル２３を枠体２０に対して個々に取り付ける構成としてもよい。更には、ガラスパネルの枚数は任意であり、１枚としてもよいし、３枚以上としてもよい。但し、安全性及び防犯性向上に鑑みれば、複数のガラスパネルを採用し、それら各ガラスパネルを所定の隙間を挟んで前後に対向させることが好ましい。因みに、ガラスパネルに代えて透明性を有する合成樹脂性のパネル部材を採用することも可能である。
【００２０】
ガラスユニット２２（詳しくは窓部２１）の周囲には、各種ランプ等の発光手段が設けられている。例えば、窓部２１の周縁に沿ってＬＥＤ等の発光手段を内蔵した環状電飾部２６が設けられている。環状電飾部２６では、大当たり時や所定のリーチ時等における遊技状態の変化に応じて点灯や点滅が行われる。また、環状電飾部２６の中央であってパチンコ機１０の最上部にはエラー等の不具合が発生した場合に点灯するエラー表示ランプ部２７が設けられ、さらにその左右には賞球払出中に点灯する賞球ランプ部２８が設けられている。また、左右の賞球ランプ部２８に近接した位置には、遊技状態に応じた効果音やＢＧＭ等などが出力されるスピーカ部２９が設けられている（図３参照）。
【００２１】
前扉枠１４（枠体２０）における窓部２１の下方には、手前側へ膨出した上側膨出部３１と下側膨出部３２とが上下に並設されている。上側膨出部３１内側には上方に開口した上皿３３が設けられており、下側膨出部３２内側には同じく上方に開口した下皿３４が設けられている（図２参照）。上皿３３は、後述する払出装置より払い出された遊技球を一旦貯留し、一列に整列させながら後述する遊技球発射機構へ導くための機能を有する。また、下皿３４は、上皿３３内にて余剰となった遊技球を貯留する機能を有する。
【００２２】
下側膨出部３２の右方には、手前側へ突出するようにして遊技球発射ハンドル４１が設けられている。遊技球発射ハンドル４１が操作されることにより、後述する遊技球発射機構から遊技球が発射される。なお、遊技球の発射速度は、遊技球発射ハンドル４１の操作量が大きくなるに従って速くなり、この操作量を遊技者が調整することで、後述する右ルートと左ルートへの遊技球の打ち分けが可能となる。
【００２３】
図３に示すように、前扉枠１４の背面には、通路形成ユニット４５が取り付けられている。通路形成ユニット４５は、合成樹脂により成形されており、上皿３３に通じる前扉側上皿通路と、下皿３４に通じる前扉側下皿通路とを有してなる。通路形成ユニット４５において、その上側隅部には後方に突出し上方に開放された受口部が形成されており、当該受口部を仕切壁によって左右に仕切ることで前扉側上皿通路の入口部分と前扉側下皿通路の入口部分とが区画形成されている。前扉側上皿通路及び前扉側下皿通路は上流側が後述する遊技球分配部に通じており、前扉側上皿通路に入った遊技球は上皿３３に導かれ、前扉側下皿通路に入った遊技球は下皿３４に導かれる。
【００２４】
前扉枠１４の背面における回動基端側には、その上端部及び下端部に突起軸が設けられている。これら突起軸は内枠１３に対する組付機構を構成する。
【００２５】
次に、図５に基づき内枠１３について詳細に説明する。図５は内枠１３の正面図である。なお、図５においては図３と同様に便宜上パチンコ機１０の遊技領域ＰＥ内の構成を省略している。
【００２６】
（内枠１３）
内枠１３は、外形が外枠１１と同様に略矩形状をなす内枠ベース体５０を主体に構成されている。内枠ベース体５０の高さ寸法は、外枠１１の高さ寸法よりも若干小さく設定されている。また、内枠ベース体５０は外枠１１の上枠部に寄せて配置され、外枠１１の下枠部と内枠ベース体５０との間には若干の隙間が形成されている。外枠１１にはこの隙間を塞ぐようにして幕板が装着されている。幕板は、内枠ベース体５０（詳しくはその下端部）の下方に配置されており、内枠１３が外枠１１に対して閉じられた状態では内枠ベース体５０が幕板の上に載ることとなる。なお、幕板と内枠ベース体５０との間に相互干渉の防止等を目的として若干のクリアランスを設けてもよい。
【００２７】
内枠ベース体５０の前面における回動基端側（図５の左側）には、その上端部及び下端部に支持金具７１，７２が取り付けられている。図示は省略するが、支持金具７１，７２は軸部を有しており、それら軸部に前扉枠１４に設けられた軸受け部が挿入されることにより、内枠１３に対して前扉枠１４が回動可能に支持されている。
【００２８】
内枠ベース体５０の回動先端側（図５の右側）には、内枠１３や前扉枠１４を施錠状態とするための施錠装置７５が配設されている。施錠装置７５は内枠ベース体５０の右端部（後述する縦フレーム部材）に沿うようにして上下に延びており、その長手方向（上下方向）に散在して配置された前扉用鉤部材７６を有している。内枠ベース体５０には前扉枠１４の背面に設けられた鉤受け部材６３（図３参照）内枠１３の正面側に突出させるためのスリットが各前扉用鉤部材７６にそれぞれ対応するようにして形成されている。それらスリットを通じて突出した前扉用鉤部材７６が、前扉枠１４に各前扉用鉤部材７６に１対１で設けられた前扉用鉤部材７６に係止されることによって、前扉枠１４が内枠１３に対して開放不能に施錠される。また、施錠装置７５は、内枠１３の後方側に延出する内枠用鉤部材７７を有している。これら内枠用鉤部材７７が外枠１１に固定された鉤受け部材１９に引っ掛かることにより遊技機主部１２が外枠１１に対して閉じた状態で施錠される。
【００２９】
内枠ベース体５０（施錠装置７５）には、施錠装置７５の解錠操作を行うためのシリンダ錠７８が設置されている。シリンダ錠７８は施錠装置７５の主要部分を構成する施錠ユニット（各鉤部材６６，６７や後述するベース体、連動杆等）とは別体で設けられており、当該施錠ユニットと隣接して配置されている。シリンダ錠７８の鍵穴に差し込んだキーを右（時計回り）に回すと内枠１３に対する前扉枠１４の施錠が解除され、シリンダ錠７８の鍵穴に差し込んだキーを左（反時計回り）に回すと外枠１１に対する内枠１３の施錠が解除されるように構成されている。
【００３０】
内枠ベース体５０の中央部分には遊技盤８０を収容する収容凹部７３が形成されている。収容凹部は遊技盤８０の外形に合わせて遊技機後方に窪んでおり、遊技盤８０はこの収容凹部７３に遊技機前方から嵌まった状態で手動式のロック機構によって固定されている。収容凹部７３の底部には、略矩形状の窓孔７４が形成されており、この窓孔７４を通じて遊技盤８０の背面構成が内枠１３の後方に突出している。なお、この窓孔７４については、内枠ベース体５０に装着された遊技盤８０によってそのほぼ全域が遊技機前方から覆われた状態となっている。
【００３１】
（遊技盤８０）
遊技盤８０は、木製の合板と同合板における前側の板面を覆うシート材とにより構成された板体８０ａを有してなり、その前面には遊技球が流下する遊技領域ＰＥが形成されている。既に説明したように遊技領域ＰＥはガラスユニット２２（詳しくは後側のガラスパネル２３）によって覆われている。ガラスユニット２２は、後側のガラスパネル２３と遊技盤８０の前面との隙間が遊技球の直径よりも僅かに大きくなるように、すなわち遊技領域ＰＥを流下する遊技球が同遊技領域ＰＥの同一箇所にて前後に並ばないように配置されている。これにより、遊技領域ＰＥでの球詰まりを抑制している。なお、遊技盤８０（詳しくは板体８０ａ）は木製に限定されるものではなく、合成樹脂製とすることも可能でり、更には上記シート材に代えて各種模様が形成されるようなコーティング等を採用することも可能である。
【００３２】
以下、図６に基づき遊技盤８０（特に遊技領域ＰＥに配された各種構成）について説明する。図６は遊技盤８０の正面図である。
【００３３】
遊技盤８０には、ルータ加工が施されることによって自身の厚さ方向（前後方向）に貫通する大小複数の開口が形成されている。各開口には、一般入賞口８１、可変入賞装置８２、作動口８３ａ，８３ｂ、スルーゲート８４及び可変表示ユニット８５等がそれぞれ配設されている。一般入賞口８１、可変入賞装置８２及び作動口８３ａ，８３ｂに遊技球が入ると、それら遊技球が後述する検知センサにより検知され、その検知結果に基づいて所定数の賞球の払い出し等の特典が遊技者に付与される。その他に、遊技盤８０の最下部にはアウト口８９が設けられており、各種入賞口等に入らなかった遊技球はアウト口８９を通って遊技領域ＰＥから排出される。以下の説明では、アウト口８９への遊技球の入球と明確に区別するために、一般入賞口８１、可変入賞装置８２、作動口８３ａ，８３ｂへの遊技球の入球を、入賞とも表現する。
【００３４】
また、遊技盤８０には、遊技球の流下経路を適宜分散，調整等するために多数の釘が植設されているとともに、風車等の各種部材（役物）が配設されている。これら釘や風車等の各種構成によって遊技球の流下経路が分化され、上述した一般入賞口８１等への入賞が適度な確率で発生するように調整されている。
【００３５】
上記可変表示ユニット８５は遊技盤８０の中央に配されており、同可変表示ユニット８５の周辺に作動口８３ａ，８３ｂ等が配設されている。作動口８３ａ，８３ｂは、可変表示ユニット８５の下方に配設された上作動口８３ａと、上作動口８３ａの直下に配設された下作動口８３ｂとによって構成されており、特に下作動口（抽選契機入球部）８３ｂには、開閉式の入球補助装置（入球補助手段）又は開閉部材（開閉手段）としての電動役物９１が設けられている。電動役物９１は、左右一対の可動片と同可動片を駆動させるソレノイド式の駆動部とを有してなり、下作動口８３ｂへの入球が可能又は容易となる開状態（補助状態）と、同入球が不可又は困難となる閉状態（非補助状態）とに切替可能となっている。
【００３６】
この下作動口８３ｂよりも上流側（詳しくは可変表示ユニット８５の側方）には上記スルーゲート８４が配置されており、遊技球のスルーゲート８４の通過をトリガとした抽選にて当選となった場合には、電動役物９１が所定時間だけ閉状態から開状態に切り替えられることとなる。
【００３７】
なお、上作動口８３ａへの入球が発生した場合には３個の遊技球の払出が実行され、下作動口８３ｂへの入球が発生した場合には４個の遊技球の払出が実行されるが、遊技球の払出個数は上記のものに限定されることはない。但し、上作動口８３ａに対する下作動口８３ｂの有利性を高める上では、上作動口８３ａに係る払出個数よりも下作動口８３ｂに係る払出個数を多く設定することが好ましい。
【００３８】
可変入賞装置（特別入球装置又は特別入球手段）８２には、遊技盤８０の背面側へと通じる大入賞口８２ａが形成されているとともに、当該大入賞口８２ａを開閉する開閉部材（開閉手段）としての開閉扉８２ｂが設けられている。開閉扉８２ｂは、遊技球の入球が可能又は容易となる開状態（補助状態）と、同入球が不可又は困難となる閉状態（非補助状態）とに切替可能となっている。また、同開閉扉８２ｂは、遊技盤８０の背面側に設けられた可変入賞駆動部８２ｃ（詳しくはソレノイド）と連結されており、通常時においては開閉扉８２ｂは閉状態のまま維持され、内部抽選において開閉実行モード（開閉実行状態）への移行に当選した場合に（大当たり：通常の遊技状態よりも遊技者に有利な特別遊技状態への移行に当選した場合に）開状態に切り替えられるようになっている。
【００３９】
ここで、開閉実行モードとは、大当たり当選となった場合に移行することとなるモードである。当該開閉実行モードにおける可変入賞装置８２の開放態様としては、例えば所定時間（例えば３０ｓｅｃ）の経過又は所定個数（例えば１０個）の入賞を１ラウンドとして、複数ラウンド（例えば６ラウンド又は１６ラウンド）を上限とした開閉扉８２ｂ等の開放が繰り返されるように設定されているものがある。
【００４０】
次に、可変表示ユニット８５について説明する。可変表示ユニット８５は、作動口８３ａ，８３ｂへの入賞をトリガとして図柄を可変表示（変動表示）する図柄表示装置９４を有している。図柄表示装置９４は、液晶ディスプレイを備えた液晶表示装置として構成されており、後述する表示制御装置によりその表示内容が制御される。図柄表示装置９４には、例えば上、中及び下に並べて図柄が表示され、これらの図柄が左右方向にスクロールされるようにして変動表示されるようになっている。そして、大当たりに当選した場合には、予め設定されている有効ライン上に所定の組み合わせの図柄が停止表示され、上記開閉実行モード（特別遊技状態又は大当たり）に移行することとなる。なお、図柄表示装置９４につていは必ずしも液晶表示装置である必要はなく、ドットマトリクスや７セグタイプの表示装置であってもよい。
【００４１】
可変表示ユニット８５は、図柄表示装置９４を囲むようにして配設されたセンターフレーム９５を備えている。センターフレーム９５は、遊技盤８０（板体８０ａ）に対してその前面側から固定されており、このように固定された状態では遊技盤８０の前面から起立した状態となることで当該センターフレーム９５と上記ガラスユニット２２との間の隙間寸法が遊技球の直径寸法よりも小さくなるように構成されている。これにより、遊技領域ＰＥを流下する遊技球が図柄表示装置９４に衝突することが回避され、且つ遊技領域ＰＥを流下する遊技球の流下経路が可変表示ユニット８５（詳しくはセンターフレーム９５）を右側から迂回するルートと、左側から迂回するルートに大別されている。
【００４２】
センターフレーム９５の下部には、第１保留ランプ部９８ａ及び第２保留ランプ部９８ｂが設けられている。左側の第１保留ランプ部９８ａは、上作動口８３ａに対応しており遊技球が上作動口８３ａを通過した回数は最大４回まで保留され第１保留ランプ部９８ａの点灯によってその保留数が表示されるようになっている。右側の第２保留ランプ部９８ｂは、下作動口８３ｂに対応しており、遊技球が下作動口８３ｂを通過した回数は最大４回まで保留され第２保留ランプ部９８ｂの点灯によってその保留数が表示されるようになっている。
【００４３】
作動口８３ａ，８３ｂは、可変表示ユニット８５寄りとなる位置に配置されている。作動口８３ａ，８３ｂへの入賞をトリガとして、特別遊技状態に移行し得るため、遊技者は作動口８３ａ，８３ｂに入賞するか否かに注目するとともに、特別遊技状態に移行するか否かを把握するため図柄表示装置９４に注目するものと考えられる。作動口８３ａ，８３ｂを可変表示ユニット８５寄りに設けたことは、遊技者が注目したい箇所を可変表示ユニット８５周辺に集中させるための工夫である。
【００４４】
遊技盤８０における右側の端部（後述する遊技盤８０の回動先端部）には後述する誘導レール１００とともに遊技領域ＰＥを区画形成する遊技領域区画部材９９が配設されている。遊技領域区画部材９９には、主表示ユニット８７や誘導レール１００に沿って飛翔した遊技球が衝突するストッパ部材８８が配設されている。
【００４５】
ストッパ部材８８については誘導レール１００の先端付近に配置された緩衝部材であり、当該ストッパ部材８８に衝突した遊技球はその勢いが弱められた後、遊技領域ＰＥを流下することとなる。つまり、ストッパ部材８８には衝突した遊技球の勢いを弱める減勢機能が付与されている。
【００４６】
ここで、主表示ユニット８７について補足説明する。主表示ユニット８７は遊技領域区画部材９９に埋設されており、その一部がガラスユニット２２と対向するように配置されている。この対向している部分には、所定の絵柄等が表示される主表示部Ｄが設けられている。主表示ユニット８７については、後述する主制御装置に電気的に接続されており、主表示部Ｄの表示内容は当該主制御装置によって制御される構成となっている。
【００４７】
主表示部Ｄは、上作動口８３ａへの入賞に基づいた抽選結果を表示する下作動口用表示部と、下作動口８３ｂへの入賞に基づいて行われた抽選結果を表示する右作動口用表示部とを有してなる。下作動口用表示部では、上作動口８３ａへの入賞をトリガとして絵柄の変動表示が行われ、その変動表示の停止結果として、上作動口８３ａへの入賞に基づいて行われた内部抽選の結果が明示される。上作動口８３ａへの入賞に基づく内部抽選の結果が開閉実行モードへの移行に対応した当選結果であった場合には、下作動口用表示部にて変動表示が停止され、停止結果として所定の絵柄が表示された後に、上記開閉実行モードへ移行される。
【００４８】
右作動口用表示部では、下作動口８３ｂへの入賞をトリガとして絵柄の変動表示が行われ、その変動表示の停止結果として、下作動口８３ｂへの入賞に基づいて行われた内部抽選の結果が明示される。下作動口８３ｂへの入賞に基づく内部抽選の結果が大当たりに対応した当選結果であった場合には、右作動口用表示部にて変動表示が停止され、停止結果として所定の絵柄が表示された後に、その結果に応じて上記開閉実行モードへ移行される。
【００４９】
ここで、いずれかの作動口８３ａ，８３ｂへの入賞に基づいて、対応する作動口用表示部にて変動表示が開始され、所定の停止結果を表示し上記変動表示が停止されるまでが遊技回の１回に相当する。但し、遊技回の１回は、上記の内容に限定されることはなく、例えば、単一の表示領域が設けられ、いずれの作動口８３ａ，８３ｂへの入賞が発生したとしてもその単一の表示領域にて変動表示が行われる構成においては、当該単一の表示領域にて変動表示が開始され、所定の停止結果を表示した状態で上記変動表示が停止されるまでを遊技回の１回とすることも可能である。
【００５０】
また、主表示ユニット８７の主表示部Ｄには上記両表示部以外に、スルーゲート８４への入賞に基づいた抽選結果を表示するスルーゲート用表示部が併設されている。スルーゲート用表示部では、スルーゲート８４への入賞をトリガとして絵柄の変動表示が行われ、その変動表示の停止結果として、スルーゲート８４への入賞に基づいて行われた内部抽選の結果が明示される。スルーゲート８４への入賞に基づく内部抽選の結果が電役開放状態への移行に対応した当選結果であった場合には、スルーゲート用表示部にて所定の停止結果が表示されて変動表示が停止された後に、電役開放状態へ移行する。電役開放状態では、下作動口８３ｂに設けられた上記電動役物９１が所定の態様で開放される。
【００５１】
更に、本実施の形態においては遊技球がスルーゲート８４を通過した回数は最大４回まで保留される構成が採用されているが、主表示ユニット８７の主表示部Ｄにはその保留個数を表示する保留数用表示部が設けられている。
【００５２】
以上詳述した主表示部Ｄについては、前扉枠１４のガラスユニット２２を通じてパチンコ機１０前方から視認可能となっているとともに、これら各種表示部の前方を遊技球が移動することが回避されているため、その視認性が担保されている。
【００５３】
再び図５を用いて内枠１３の構成について説明すれば、内枠ベース体５０における遊技盤８０の下方には、上記遊技球発射ハンドル４１の操作に基づいて遊技領域ＰＥへ遊技球を発射する遊技球発射機構１１０が設けられている。遊技球発射機構１１０は、所定の発射待機位置に配置された遊技球を打ち出すソレノイド１１１と、同ソレノイド１１１によって打ち出された遊技球の発射方向を規定する発射レール１１２と、上記発射待機位置に遊技球を供給する球送装置１１３と、それら各種構成１１１〜１１３が装着されているベースプレート１１４とを主要な構成として備えており、同ベースプレート１１４が内枠ベース体５０（例えば後述する横フレーム部材５４）に固定されることで、同内枠ベース体５０に対して一体化されている。
【００５４】
発射レール１１２は、遊技盤８０側に向けて上り傾斜となるように、斜めに傾いた状態でベースプレート１１４に固定されている。発射レール１１２の下流側の端部（すなわち下端部）寄りとなる位置には、球送装置１１３から供給された遊技球を上述した発射待機位置に留める球ストッパが配されている。球ストッパよりも更に下流側となる位置に、上記ソレノイド１１１が配置されている。
【００５５】
ソレノイド１１１は、後述する電源・発射制御装置に対して電気的に接続されている。その電源・発射制御装置からの電気的な信号の出力に基づいてソレノイド１１１の出力軸が伸縮方向に往復動することにより、発射待機位置に置かれた遊技球が遊技盤８０側、詳しくは遊技盤８０に装着された誘導レール１００に向けて打ち出される。
【００５６】
誘導レール１００は、遊技盤８０に固定された遊技領域区画部材９９とともに遊技領域ＰＥを同遊技領域ＰＥの外形が略円形状となるように区画形成している。また、誘導レール１００は、遊技球の直径よりも若干大きな隙間を隔てて対峙するように配置された内レール１０１及び外レール１０２からなり、それら両レール１０１，１０２によって一条の誘導通路１０３が区画形成されている。誘導通路１０３は、発射レール１１２の先端側（斜め下方）に開放された入口部分と、遊技領域ＰＥの上部に位置する出口部分とを有している。ソレノイド１１１の動作に基づいて発射された遊技球は、発射レール１１２→誘導レール１００（入口部分→出口部分）の順に移動することにより遊技領域ＰＥに導かれる。なお、遊技盤８０において出口部分の先側、詳しくは内レール１０１の先端付近には、遊技領域ＰＥに到達した遊技球の同誘導通路１０３内への逆戻りを防止する逆戻り防止部材１０６が取り付けられており、先んじて遊技領域ＰＥに至った遊技球によって後続する遊技球の打ち出しが妨げられることを抑制している。
【００５７】
誘導レール１００を構成している各レール１０１，１０２は、遊技領域ＰＥの略中央部分を中心とする円弧状をなしている。このため、誘導通路１０３を通過する遊技球は、自身に発生する遠心力により外レール１０２に沿って、すなわち外レール１０２に接触したまま移動（摺動又は転動）しやすくなっている。
【００５８】
同図３に示すように、誘導レール１００及び発射レール１１２は、同誘導レール１００の入口部分と発射レール１１２の先端部分とが遊技盤８０の下端縁を挟んで斜めに対峙するように配置されている。つまり、それら両レール１００，１１２は、同誘導レール１００の入口部分と発射レール１１２の先端部分とが遊技盤８０の下端縁近傍にて左右にずれるようにして配置されている。これにより両レール１００，１１２を遊技盤８０の下端縁に近づけつつ、誘導レール１００の入口部分と発射レール１１２との間には所定間隔の隙間を形成している。
【００５９】
このようにして形成された隙間よりも下側にはファール球通路が配設されている。ファール球通路は前扉枠１４の通路形成ユニット４５に一体成形されている。仮に遊技球発射機構１１０から発射された遊技球が遊技領域ＰＥまで至らずファール球として誘導通路１０３内を逆戻りする場合には、それらファール球が上記隙間を介してファール球通路内に入ることとなる。ファール球通路は前扉側下皿通路に通じており、ファール球通路に入った遊技球は図１に示した下皿３４に排出される。これにより、ファール球と次に発射される遊技球との干渉が抑制される。
【００６０】
内枠ベース体５０において発射レール１１２の左方（詳しくは前扉枠１４を支持している側）には内枠ベース体５０を前後方向に貫通する貫通孔が形成されており、この貫通孔に通路形成部材１２１が配設されている。通路形成部材１２１は、内枠ベース体５０に対してネジ止めされており、本体側上皿通路１２２と本体側下皿通路１２３とを有している。それら本体側上皿通路１２２及び本体側下皿通路１２３の上流側は、後述する遊技球分配部に通じている。また、通路形成部材１２１の下方には前扉枠１４に取り付けられた通路形成ユニットの受口部が入り込んでおり、本体側上皿通路１２２の下方には前扉側上皿通路が配置され、本体側下皿通路１２３の下方には前扉側上皿通路が配置されている。
【００６１】
内枠ベース体５０において通路形成部材１２１の下方には、本体側上皿通路１２２及び本体側下皿通路１２３を開閉する開閉部材１２４が取り付けられている。開閉部材１２４は本体側上皿通路１２２及び本体側下皿通路１２３を閉鎖する前方位置に付勢されており、前扉枠１４が開放された場合には、この付勢力によって各開閉部材１２４が閉状態となることで、各通路１２２，１２３からの遊技球の脱落が回避されることとなる。これに対し、前扉枠１４を閉じた状態では、前扉枠１４の通路形成ユニット４５に設けられた受口部により付勢力に抗して開閉部材１２４が押し開けられる。この状態では、本体側上皿通路１２２と前扉側上皿通路とが連通し、さらに本体側下皿通路１２３と前扉側下皿通路とが連通する。
【００６２】
次に、図７に基づき内枠１３（内枠ベース体５０及び遊技盤８０）の背面構成について説明する。図７は内枠１３の背面図である。
【００６３】
内枠ベース体５０の背面における回動基端側（図７の右側）には、軸受け金具１３２が取り付けられている。軸受け金具１３２には、上下に離間させて軸受け部１３３が形成されており、これら軸受け部１３３により内枠１３に対して裏パックユニット１５が回動可能に取り付けられている。また、内枠ベース体５０の背面には、裏パックユニット１５を閉じた状態で同内枠ベース体５０に固定するための固定レバー１３４が複数設けられている。
【００６４】
既に説明したように内枠ベース体５０における収容凹部（遊技盤収容部）７３の底部分には内枠ベース体５０の厚さ方向に貫通し同内枠ベース体５０の背面側に開放された窓孔７４が形成されており、その窓孔７４が収容凹部７３に収容された遊技盤８０によって内枠１３の正面側から覆われている。遊技盤８０の背面には制御装置等の各種構成が搭載されており、それら各種構成は窓孔７４を通じて内枠１３の背側に露出した状態となっている。ここで、遊技盤８０の背面の構成について説明する。
【００６５】
遊技盤８０の背面には、可変表示ユニット８５（図６参照）を遊技盤８０に対して搭載する合成樹脂製のベース体９６が固定されている。ベース体９６は、遊技盤８０側に開放された略箱状をなしており遊技盤８０の背面のほぼ全域を覆っている。ベース体９６の一部は内枠ベース体５０の背面側に突出しており、その突出した部分に対して上述した図柄表示装置９４（図６参照）と、その図柄表示装置９４を駆動するための表示制御装置とが取り付けられている。これら図柄表示装置９４及び表示制御装置は前後方向（内枠ベース体５０の厚さ方向）に図柄表示装置が前側且つ表示制御装置が後側となるように重ねて配置されている。さらに、遊技盤８０には、表示制御装置の後方に位置するようにして報知・演出制御装置１４０が搭載されている。
【００６６】
報知・演出制御装置１４０は、後述する主制御装置からの指示に従い音声の出力やランプ表示、及び表示制御装置の制御を司る報知・演出制御基板を具備しており、報知・演出制御基板が透明樹脂材料等よりなる基板ボックス１４１に収容されて構成されている。
【００６７】
報知・演出制御装置１４０の下方には、ベース体９６を後方から覆うようにして主制御装置ユニット１６０が設けられている。主制御装置ユニット１６０は、遊技盤８０の背面に固定された合成樹脂製の取付台１６１と、その取付台１６１に搭載された主制御装置１６２とを有している。主制御装置１６２は、遊技の主たる制御を司る機能（主制御回路）と、電源を監視する機能（停電監視回路）とを有する主制御基板を具備しており、当該主制御基板が透明樹脂材料等よりなる基板ボックス１６３に収容されて構成されている。
【００６８】
基板ボックス１６３は、略直方体形状のボックスベース（表ケース体）とこのボックスベースの開口部を覆うボックスカバー（裏ケース体）とを備えている。これらボックスベースとボックスカバーとは封印手段としてのボックス封印部１６４によって開封不能に連結され、これにより基板ボックス１６３が封印されている。ボックス封印部１６４は、基板ボックス１６３の短辺部に複数設けられ、そのうち少なくとも１つが用いられて封印処理が行われる。
【００６９】
ボックス封印部１６４はボックスベースとボックスカバーとを開封不能に結合する構成であれば任意の構成が適用できるが、ボックス封印部１６４を構成する係止孔部に係止ピンを挿入することでボックスベースとボックスカバーとが開封不能に結合されるようになっている。ボックス封印部１６４による封印処理は、その封印後の不正な開封を防止し、また万一不正開封が行われてもそのような事態を早期に且つ容易に発見可能とするものであって、一旦開封した後でも再度封印処理を行うこと自体は可能である。すなわち、複数のボックス封印部１６４のうち、少なくとも１つの係止孔部に係止ピンを挿入することにより封印処理が行われる。そして、収容した主制御基板の不具合発生の際や主制御基板の検査の際など基板ボックス１６３を開封する場合には、係止ピンが挿入されたボックス封印部と基板ボックス１６３本体との連結部分を切断する。これにより、基板ボックス１６３のボックスベースとボックスカバーとが分離され、内部の主制御基板を取り出すことができる。その後、再度封印処理する場合は他の係止孔部に係止ピンを挿入する。基板ボックス１６３の開封を行った旨の履歴を当該基板ボックス１６３に残しておけば、基板ボックス１６３を見ることで不正な開封が行われた旨が容易に発見できる。
【００７０】
基板ボックス１６３と取付台１６１とは台座封印部１６５によって開封不能に連結されている。詳しくは、台座封印部１６５は、ボックス封印部１６４と同様に係止孔部及び係止ピンを有しており、係止孔部に対して係止ピンが挿入されることで基板ボックス１６３と取付台１６１とが分離不能に結合されるようになっている。これにより、基板ボックス１６３の不正な取り外しが行われた場合に、その事実を把握しやすくなっている。
【００７１】
ベース体９６において遊技盤８０の背面下部と対向している部分には、前記一般入賞口８１，可変入賞装置８２、作動口８３ａ，８３ｂの遊技盤開口部に対応し且つ下流側で１カ所に集合する回収通路（図示略）が形成されている。これにより、一般入賞口８１等に入賞した遊技球は何れも回収通路を介して遊技盤８０の下方に集合する構成となっている。つまり、ベース体９６には各種入賞口に入賞した遊技球を回収する機能が付与されている。
【００７２】
遊技盤８０の下方には後述する排出通路が配されており、回収通路によって遊技盤８０の下方に集合した遊技球は排出通路内に導出される。なお、アウト口８９についても同様に排出通路に通じており、何れの入賞口にも入賞しなかった遊技球はアウト口８９を介して排出通路内に導出される。
【００７３】
また、ベース体９６には、遊技盤８０表側の一般入賞口８１に入賞した遊技球を検知する入賞口スイッチと、可変入賞装置８２に入賞した遊技球を検知する入賞検知スイッチと、作動口８３ａ，８３ｂに入った遊技球を検知する作動口スイッチとが装着されており、それら各種スイッチによって入賞検知機構が構成されている。これら各種スイッチは主制御装置１６２に対して電気的に接続されており、各スイッチによる検知情報が同主制御装置１６２に出力される構成となっている。
【００７４】
次に、図８及び図９に基づき裏パックユニット１５について説明する。図８はパチンコ機１０の背面図、図９は裏パックユニット１５の正面図である。
【００７５】
図８に示すように、内枠１３は裏パックユニット１５によって後方から覆われている。裏パックユニット１５は、裏パックユニット１５の本体部としての裏パック２０１を備えており、当該裏パック２０１に対して、払出機構部２０２、排出通路盤及び制御装置集合ユニット２０４が取り付けられている。
【００７６】
裏パック２０１は透明性を有する合成樹脂により成形されており、図９に示すように払出機構部２０２などが取り付けられるベース部２１１と、パチンコ機１０後方に突出し略直方体形状をなす保護カバー部２１２とを有する。保護カバー部２１２は左右側面及び上面が閉鎖され且つ下面のみが開放された形状をなし、少なくとも可変表示ユニット８５を囲むのに十分な大きさを有する（図８参照）。
【００７７】
ベース部２１１には、外部端子板（図示略）が設けられている。外部端子板には各種の出力端子が設けられており、これらの出力端子を通じて遊技ホール側の管理制御装置（ホールコンピュータ）に対して各種信号が出力される。また、図９に示すように、ベース部２１１にはパチンコ機１０後方からみて右端部に上下一対の掛止ピン２１４が設けられており、掛止ピン２１４を内枠１３に設けられた前記軸受け部１３３に挿通させることで、裏パックユニット１５が内枠１３に対して回動可能に支持されている。ベース部２１１には、内枠１３に設けられた固定レバー１３４が挿通される複数の挿通部２１５が形成されており、固定レバー１３４が挿通部２１５に挿通された状態にてベース部２１１に後方から当接することにより内枠１３に対して裏パックユニット１５が固定されている。
【００７８】
ベース部２１１には、保護カバー部２１２を迂回するようにして払出機構部２０２が配設されている。払出機構部２０２には、裏パック２０１の最上部に配されているとともに上方に開口したタンク２２１が設けられており、遊技ホールの島設備から供給される遊技球がそのタンク２２１に逐次補給される。タンク２２１の側方には、下流側に向けて緩やかに傾斜するタンクレール２２２が連結され、タンクレール２２２の下流側には上下方向に延びるケースレール２２３が連結されている。ケースレール２２３の最下流部には払出装置２２４が設けられている。払出装置２２４より払い出された遊技球は、当該払出装置２２４の下流側に設けられた図示しない払出通路を通じて、裏パック２０１のベース部２１１に設けられた遊技球分配部２２５に供給される。
【００７９】
遊技球分配部２２５は、払出装置２２４より払い出された遊技球を上皿３３、下皿３４又は後述する排出通路の何れかに振り分けるための機能を有し、内側の開口部が上述した本体側上皿通路１２２及び前扉側上皿通路を介して上皿３３に通じ、外側の開口部が本体側下皿通路１２３及び前扉側下皿通路を介して下皿３４に通じるように形成されている。
【００８０】
ベース部２１１の下端部には、当該下端部を前後に挟むようにして排出通路盤及び制御装置集合ユニット２０４が取り付けられている。排出通路盤には、制御装置集合ユニット２０４と対向する面に後方に開放された排出通路が形成されており、当該排出通路の開放部は制御装置集合ユニット２０４によって塞がれている。排出通路は、遊技ホールの島設備等へ遊技球を排出するように形成されており、上述した回収通路等から排出通路に導出された遊技球は当該排出通路を通ることでパチンコ機１０外部に排出される。
【００８１】
制御装置集合ユニット２０４は、横長形状をなす取付台２４１を有し、取付台２４１に払出制御装置２４２と電源・発射制御装置２４３とが搭載されている。これら払出制御装置２４２と電源・発射制御装置２４３とは、払出制御装置２４２がパチンコ機１０後方となるように前後に重ねて配置されている。
【００８２】
払出制御装置２４２においては基板ボックス２４４内に払出装置２２４を制御する払出制御基板が収容されており、当該払出制御基板に設けられた状態復帰スイッチ２４５が基板ボックス２４４外に突出している。例えば、払出装置２２４における球詰まり等、払出エラーの発生時において状態復帰スイッチ２４５が押されると、球詰まりの解消が図られるようになっている。
【００８３】
電源・発射制御装置２４３は、基板ボックス２４６内に電源・発射制御基板が収容されており、当該基板により、各種制御装置等で要する所定の電源が生成されて出力され、さらに遊技者による遊技球発射ハンドル４１の操作に伴う遊技球の打ち出しの制御が行われる。また、電源・発射制御装置２４３には電源スイッチ２４７が設けられている。電源スイッチ２４７を操作することにより、パチンコ機１０の電源を投入状態（オン状態）又は遮断状態（オフ状態）に切り替え可能となっている。
【００８４】
ここで、本パチンコ機１０は各種データの記憶保持機能を有しており、万一停電が発生した際でも停電時の状態を保持し、停電からの復帰の際には停電時の状態に復帰できるようになっている。例えば遊技ホールの営業終了の場合のように通常手順で電源を遮断すると遮断前の状態が記憶保持される。一方、上記ＲＡＭ消去スイッチ１６６を押しながら電源を投入すると、ＲＡＭデータが初期化されるようになっている。
【００８５】
これら各種スイッチについては、遊技機主部１２（内枠１３）を開放して内枠１３の背面部を露出させることで遊技機正面側から操作可能となる。一方で、上記施錠装置７５によって遊技機主部１２の開放が規制されている状態では、遊技機正面側からそれら各種スイッチを操作することができない。つまり、上記各種スイッチについては遊技機主部１２を閉じた状態では操作されにくくなっており、施錠装置７５用のキーを所有していないもの（例えば不正行為者）による遊技機正面側からの操作を困難なものとしている。
【００８６】
以上詳述したようにパチンコ機１０は、大別して、内枠１３，前扉枠１４及び裏パックユニット１５からなる遊技機主部１２と、遊技機主部１２を回動可能に支持する外枠１１とによって構成されている。図１０（外枠１１の斜視図）に示すように、外枠１１については左右一対の縦枠部１１ａ，１１ｂとそれら縦枠部１１ａ，１１ｂを繋ぐ横枠部１１ｃ，１１ｄとを有してなり、それら各枠部１１ａ〜１１ｄが遊技ホールの島設備に設けられた取付部へ固定されることで、当該島設備と一体化されている。遊技機主部１２を外枠１１に対して閉じた状態では、外枠１１等によって遊技機主部１２の背面側（例えば主制御装置１６２等）へのアクセスが規制されることとなる。特に、図１０に示すように外枠１１の一組の縦枠部１１ａ，１１ｂのうち上記支持用金具１７，１８が設けられている側とは反対側に位置する縦枠部１１ｂ（右側の縦枠部１１ｂ）の内面には上記鉤受け部材１９が固定されており、遊技機主部１２（詳しくは内枠１３）が外枠１１に閉じた状態では、これら鉤受け部材１９と内枠１３に設けられた施錠装置７５の内枠用鉤部材７７（図４等参照）とが引っ掛かることで当該遊技機主部１２の開放が規制された施錠状態となる。これにより、解錠用の鍵を所有するホール管理者やホール作業者以外のもの（例えば不正行為者）が遊技機主部１２の背面部に不正にアクセスすることが困難となっている。
【００８７】
＜内枠ベース体５０＞
本実施の形態においては、遊技盤８０（詳しくは遊技領域ＰＥ）の拡張を図るべく内枠１３の内枠ベース体５０及びそれに付随する構成について特徴的な構成が採用されている。そこで以下、図１１及び図１２を参照して内枠ベース体５０及びそれに付随する構成について説明する。図１１は内枠ベース体５０を正面側から見た斜視図、図１２は内枠ベース体５０から施錠装置７５を取り外した状態を示す分解斜視図である。
【００８８】
図１１に示すように、内枠ベース体５０は、左右一対の縦フレーム部材５１，５２とそれら縦フレーム部材５１，５２の上端部同士及び下端部同士を繋ぐようにして設けられた横フレーム部材５３，５４とによって構成され、全体として矩形枠状をなしている。
【００８９】
横フレーム部材５３，５４については合成樹脂材料を用いて形成されており、一方で縦フレーム部材５１，５２について金属材料（本実施の形態においてはアルミ材）を用いて形成されている。これは、強度低下を抑えつつ縦フレーム部材５１，５２の横幅寸法を横フレーム部材５３，５４の縦幅寸法よりも小さくする（薄型化）するための工夫であり、実際各フレーム部材５１〜５４の内外方向における占有領域を比較した場合、縦フレーム部材５１，５２の占有領域のほうが横フレーム部材５３，５４の占有領域よりも相対的に小さくなっている。より詳しくは、横フレーム部材５３，５４についてはその縦幅や肉厚をある程度大きくすることで強度担保を実現しているのに対して縦フレーム部材５１，５２についてはその材質や断面構造等を工夫することで、強度低下を抑えつつ横幅の減縮が実現されている。
【００９０】
ここで、先ずパチンコ機１０の回動基端側に位置する縦フレーム部材５１（図１１の左側）の構造を踏まえて遊技盤８０の取り付けにかかる構造について説明する。
【００９１】
（遊技盤８０の取付構造）
本実施の形態においては、遊技盤８０の取付構造（具体的には同遊技盤８０の位置決め構造及び固定構造）に関して特徴的な構成を備えている。既に説明したように、遊技盤８０は、内枠１３の収容凹部７３に対して同内枠１３の正面側から嵌まっている（図５参照）。図１１に示すように、収容凹部７３は、内枠ベース体５０に設けられ遊技盤８０の背面に対向する平板状の対向部３０１と、遊技盤８０の周縁に沿って延びる周壁部３０２とによって構成されており、これら対向部３０１及び周壁部３０２によって囲まれた領域が遊技盤８０（詳しくは板体８０ａ）の収容領域となっている。
【００９２】
対向部３０１には、その略中央に上述した窓孔７４が形成されており、内枠１３の正面視において略矩枠状をなしている。周壁部３０２は、遊技盤８０における上下左右の各端面に対して個々に対向する上側壁部３１１，下側壁部３１２，左側壁部３１３，右側壁部３１４が連なってなり、全体として遊技盤８０を囲む環状をなしている。なお、周壁部３０２は窓孔７４を囲むようにして形成されているとも言える。
【００９３】
対向部３０１において前扉枠１４の回動基端側となる部位、詳しくは縦フレーム部材５１において対向部３０１を構成している部分には、遊技盤８０を対向部３０１から離れる側（内枠１３の正面側）に向けて付勢する付勢部材としての板バネ３１７が同遊技盤８０の縁部に添って上下に並設されている。板バネ３１７は、遊技盤８０の上端寄り及び下端寄りにそれぞれ配置されており（図１１においては上側の板バネは見えていない）、遊技盤８０に対する付勢力が同遊技盤８０の上端側及び下端側にて同等となるように設定されている。これにより、上記付勢力が遊技盤８０の上端及び下端のいずれか一方に偏よって作用し、遊技盤８０が傾きやすくなること抑制している。
【００９４】
板バネ３１７は、対向部３０１に対する取付部としてのベース板部と、遊技盤８０の背面を押す押圧部とを有し、それら両者が折曲部を介して連なるように長板状の鋼板を折り返して形成されている。押圧部が折曲部を基端として撓み変形することにより、上述した付勢力が発揮される。
【００９５】
縦フレーム部材５１のフランジ部分（対向部３０１を構成している部分）の前面には、内枠１３の背面側に凹む板バネ設置部が設けられている。板バネ３１７は、上記ベース板部が板バネ設置部に嵌まった状態にて同板バネ設置部にネジ止めされることで内枠ベース体５０に対して固定されている。板バネ設置部の深さ寸法は、ベース板部の板厚寸法よりも大きく設定されており、ベース板部と折曲部とが当該板バネ設置部内に埋没している。押圧部は、遊技盤８０側に凸となる湾曲状をなし、その頂部（遊技盤８０に当接する部位）が板バネ設置部２５２から遊技盤８０側に突出した状態となっている。このように頂部を突出させておくことにより押圧機能が確保されている。
【００９６】
また、板バネ３１７は、折曲部が左側壁部３１３と対峙するように、すなわち押圧部の自由端よりも固定端のほうが左側壁部３１３に対して近くなるように配置されている。このように配置された状態では、ベース板部が、少なくとも左側壁部３１３の根元部分に近い位置にて板バネ設置部の底面に当接している。遊技盤８０の付勢に伴って同遊技盤８０から受ける反力が押圧部→折曲部→ベース板部を介して対向部３０１に伝播した場合に、対向部３０１に左側壁部３１３の根元を基端とする撓み変形が生じることを抑制している。つまり、遊技盤８０からの反力を周壁部３０２の根元付近で受けることで対向部３０１の撓み変形を抑え、板バネ３１７の付勢機能を発揮させやすくしている。
【００９７】
内枠ベース体５０（詳しくは縦フレーム部材５１）の左側壁部３１３には、板バネ３１７による付勢方向の先側から遊技盤８０の前面に対して当接することで同遊技盤８０の同付勢方向への変位を抑えるストッパ３１８が設けられている。ストッパ３１８は、周壁部３０２の左側壁部３１３に固定されており、同左側壁部３１３の内壁面から収容凹部７３内に張り出している。
【００９８】
ストッパ３１８と対向部３０１との間隔寸法は、遊技盤８０の厚み寸法よりも若干大きく、具体的にはそれら両寸法の差が板バネ設置部からの板バネ３１７（詳しくはその頂部）の突出量よりも小さくなる程度に設定されている。このため、板バネ３１７に押されストッパ３１８によって前後位置が規定された遊技盤８０は、対向部３０１に対して僅かに浮いた状態となる。すなわち、遊技盤８０と対向部３０１との間に隙間が形成される。これは、許容できる遊技盤８０の厚さ寸法の範囲を拡張するための工夫である。
【００９９】
なお、ストッパ３１８の配置に関して補足すれば、これらストッパ３１８は上記誘導レール１００において遊技盤８０の回動基端側に凸となっている部分の上方及び下方に配置されている。これにより、遊技盤８０の前面に対して当接するストッパ３１８と、遊技盤８０の前面にて遊技領域ＰＥを区画する誘導レール１００とを遊技盤８０の前面側にて好適に共存させることが可能となっている。
【０１００】
以上詳述した板バネ３１７（又は縦フレーム部材５１の対向部３０１）と上下に配された一対のストッパ３１８とによって、遊技盤８０の一側部を挿入可能な挿入部３１９が構築されている。挿入部３１９は、前扉枠１４の回動基端側に配されているとともに、内枠１３の回動先端側からの遊技盤８０の挿入を許容すべく同内枠１３の回動先端側に開放されている。
【０１０１】
特に、板バネ３１７は、押圧部２７２の頂部、すなわち遊技盤８０に対して当接する部位がストッパ３１８よりも前扉枠１４が支持されている側から離れるように配されている。つまり、押圧部の頂部とストッパ３１８との距離寸法は、押圧部の頂部とストッパ３１８との前後方向での間隔寸法よりも大きく設定されている。これにより、遊技盤８０を挿入部３１９に対して内枠１３の斜め前方から挿入可能としている。また、既に説明したように、ストッパ３１８と対向部３０１との隙間寸法は、遊技盤８０の厚さ寸法よりも大きく設定されている。これにより、上述の如く斜め前方から挿入された遊技盤８０を、同挿入部３１９を基端として回動可能としている。なお、ストッパ３１８の先端部において遊技盤８０と対向している部位には面取りが施されており、挿入部３１９の入口部分が拡張されている。これにより、押圧部の頂部とストッパ３１８との距離寸法を大きくし、遊技盤挿入時のストッパ３１８と遊技盤８０とのつかえが抑制されている。
【０１０２】
挿入部３１９の下方、詳しくは内枠１３において左側壁部３１３と下側壁部３１２とが交わる位置には、挿入部３１９に挿入された遊技盤８０を仮置き可能な仮置き部３２１が設けられている。仮置き部３２１は、内枠ベース体５０の横フレーム部材５４において上記下側壁部３１２を構成している部分の一部が上方に隆起してなる。
【０１０３】
仮置き部３２１の上端面は、下側壁部３１２における他の部位よりも上側に位置しているとともに、遊技盤８０の下端部に対して対向する平面状をなしている。一方、遊技盤８０における回動基端側の下隅部にはこの仮置き部３２１に対応した下側切欠き部９０が形成されている（図６参照）。遊技盤８０を挿入部３１９に挿入し回動開始する初期段階では、この仮置き部３２１に対して遊技盤８０の下側切欠き部９０が仮置き（一時的に載置）されることで同遊技盤８０の重量の少なくとも一部が両フレーム部材５１，５４によって支えられることとなる。これにより、作業負担を減らし、遊技盤８０の回動操作の容易化を図っている。
【０１０４】
図５に示したように遊技盤８０が装着完了位置に配置されている状態では、遊技盤８０の下端部が下側壁部３１２、すなわち下側の横フレーム部材５４の上端面に載り、上述した仮置き部３２１と下側切欠き部９０との間には僅かな隙間が生じる。遊技盤８０は、下側壁部３１２上に載ることとで、同下側壁部３１２によって支えられ、その上下位置が規定されることとなる。このように、載置された遊技盤８０を下側から支える点に着目すれば、下側壁部３１２を「載置部２６３」又は「支持部２６３」と称することも可能である。
【０１０５】
下側壁部３１２の前端部分には、遊技盤装着時に同遊技盤８０を下側壁部３１２の上面に案内する案内部が形成されている（図１１参照）。案内部は、遊技盤回動時に当該遊技盤８０の下端縁が当接し得る位置に配され、内枠１３の正面側に向けて下り傾斜している。遊技盤８０を仮置き部３２１に載せた状態から装着完了位置に向けて回動させると、その途中段階にて遊技盤８０の下端部が案内部に当たり、同遊技盤８０が案内部の傾斜に沿って押し上げられる。これにより下側切欠き部９０が仮置き部３２１から離間するとともに遊技盤８０の下端部が下側壁部３１２上に載った状態となり、遊技盤８０の重量負荷が仮置き部３２１から下側壁部３１２に移ることとなる。
【０１０６】
下側壁部３１２は、遊技球発射機構１１０と遊技盤８０との間に位置しており、遊技球発射機構１１０に近い位置にて遊技盤８０の上下位置が規定される。既に説明したように、誘導レール１００の入口部分１０４と遊技球発射機構１１０との両者は下側壁部３１２に添って配されている。これにより、遊技球発射機構１１０から発射された遊技球の誘導レール１００における着地位置のばらつきを抑えやすくなっている。
【０１０７】
既に説明したように下側の横フレーム部材５４は合成樹脂によって形成されている。このため、当該横フレーム部材５４の一部で遊技盤８０の荷重を支えようとした場合には、上記下側壁部３１２の肉厚を大きくするといった下側壁部３１２自体を部分的に肉厚にする等の対策が必要となる。下側の横フレーム部材５４については、上述したように、遊技球発射機構１１０、通路形成部材１２１、各種基板等の装着対象となっており、そのような下側壁部３１２の大型化はそれら各種構成の配置領域を侵食する要因となる又は遊技盤８０の収容領域を侵食する要因となるため好ましくない。
【０１０８】
この点、本実施の形態に示すパチンコ機１０においては、下側壁部３１２を下方から支える金属製の中間フレーム部材５５を別途設け下側壁部３１２と中間フレーム部材５５とを併用することにより上記不都合の発生を抑えつつ支持強度の担保が実現されている。具体的には、中間フレーム部材５５は左右に延びる長尺状の部材であり、その左右の各端部が両縦フレーム部材５１，５２に連結されている。これにより、下側壁部３１２のサポート機能（遊技盤８０の支持強度の強化）のみならず内枠ベース体５０全体での強度向上が実現されている。
【０１０９】
従来の遊技機においては、内枠ベース体５０に相当する構成については、軽量化等の観点からその全体が合成樹脂材料によって一体成形されていることが多く、各縦枠部分や横枠部分が十分な強度を確保するべく肉厚となるように更には正面視における占有面積が大きくなるように形成されていた。一方、本実施の形態においては、縦枠部に相当する縦フレーム部材５１，５２については横フレーム部材５３，５４よりも強度の高い部材（金属部材）を用いることにより縦枠部の横方向（左右方向）での薄型化を実現している。しかしながら、枠体を複数の部材の組合せによって構成した場合には、内枠ベース体５０全体での強度確保が難しくなり得る。この点、本実施の形態においては、上記中間フレーム部材５５を用いて各縦フレーム部材５１，５２の中間部分を連結することにより、強度低下の懸念を払拭している。更に、下側の横フレーム部材５４全体を金属材料で構成するのではなく、特に強度の必要な部分（下側壁部３１２）に沿う位置に高強度の中間フレーム部材５５を配設することにより、内枠ベース体５０全体での強度向上や下側壁部３１２のサポート機能を享受しつつ、それに起因した重量の増加を抑えることが可能となっている。そして、このような構成により、内枠ベース体５０における遊技盤８０の占有領域（左右方向）を拡大し、遊技領域ＰＥの拡大を実現することが可能となっている。
【０１１０】
なお、中間フレーム部材５５は、板面が遊技機正面を向くように形成された横長状の板状部５６と、この板状部５６の上端を直角に折り曲げて形成され上記下側壁部３１２に下側から当接する折曲部５７とを有している（図５参照）。板状部５６は、既に説明したようにその左右両端部が各縦フレーム部材５１，５２に連結（詳しくはボルト等の固定具により固定）されているが、同板状部５６の中間部分についても横フレーム部材５４に固定されている。これにより、各フレーム部材５１，５２，５４，５５が一体となり、内枠ベース体５０全体の強度向上が図られている。
【０１１１】
また、上記遊技球発射機構１１０のベースプレート１１４の一部は横フレーム部材５４に直接固定されているが、他の部分については、中間フレーム部材５５の板状部５６に固定されている。これにより、ベースプレート１１４の取付強度の向上だけでなく、ベースプレート１１４が内枠ベース体５０の強度向上に間接的に寄与できる構成が実現されている。
【０１１２】
次に、内枠１３の回動先端側に配設された縦フレーム部材５２（例えば図１１の右側参照）及びそれに付随する構成について説明する。
【０１１３】
（右側の縦フレーム部材５２と施錠装置７５）
図１２に示すように、右側の縦フレーム部材５２は、遊技盤８０の右側の端面に対向する長板部３３１を有している。この長板部３３１が縦フレーム部材５２の基部を構成しており、その内面が上記右側壁部３１４を構成している。一方、長板部３３１の外面３３２（外枠１１の縦枠部１１ｂ側を向いている面）は上記施錠装置７５の取付面となっている。
【０１１４】
ここで、施錠装置７５の構成について補足説明する。施錠装置７５は、上述した各種鉤部材７６，７７の取付対象としてのベース体３５１を有している。ベース体３５１は、縦フレーム部材５２の長板部３３１の外面３３２に対向するようにして上下に延びる板状部３５２を有している。この板状部３５２において長板部３３１側を向いている面が上記鉤部材７６，７７や他の機構部品の取り付け面となっており、これら各種機構部品とベース体３５１とが一体化されることで施錠ユニットが構成されている（シリンダ錠７８を除く）。
【０１１５】
ベース体３５１の板状部３５２は上記長板部３３１の上端から下端に渡って延びており、その外周部には長板部３３１側に起立するように折り返して形成された外周フランジ部３５３が形成されている。施錠装置７５が縦フレーム部材５２に遊技機側方から固定された状態では、外周フランジ部３５３が長板部３３１の外面３３２に当接することとなる。このようにして、長板部３３１と板状部３５２との間に外周フランジ部３５３が介在することにより、縦フレーム部材５２とベース体３５１との間に施錠機構を収容する収容領域ＩＳが形成されている（後述する図１７参照）。
【０１１６】
上記施錠ユニットを縦フレーム部材５２に固定した後は、収容領域ＩＳが図１１に示すように外周フランジ部３５３によって覆われた状態となる。このため、各種機構部品への外部からのアクセスが困難なものとなり、施錠装置７５を縦フレーム部材５２に対して側方から（後述する外枠１１及び内枠１３の境界部位側から）取り付ける構成を採用しつつも、それに起因した防犯機能の低下を抑えることが可能となっている。
【０１１７】
特に、遊技機主部１２（内枠１３）を外枠１１に対して閉じた状態では、外枠１１の縦枠部１１ｂがベース体３５１（詳しくは板状部３５２）に対して側方から対向し、施錠装置７５が内枠１３の縦フレーム部材５２と外枠１１の縦枠部１１ｂとの間に挟まれた状態となる。これにより、パチンコ機１０の施錠状態をワイヤ等の不正具を用いて解除するといった行為が困難となる。更には施錠装置７５用の固定具（詳しくはネジ３５５）を工具を用いて取り外す際の作業領域に重なるようにして（より詳しくはネジ３５５の取り外し経路と重なるようにして）外枠１１の縦枠部１１ｂが位置することとなり、固定具を外したり緩めたりして同施錠装置７５を無理矢理取り外したりずらしたりするといった行為を困難なものとすることができる。なお、当該機能についての詳細は後述する。
【０１１８】
因みに、フランジ部３５３に相当する構成については、板状部３５２の外周に沿って形成されている必要は必ずしも無い。少なくとも、長板部３３１と板状部３５２との間に収容領域ＩＳを形成するためのスペーサとして機能すれば足り、必ずしも上記収容領域ＩＳを囲むように形成されている必要はない。
【０１１９】
ここで、図１２〜図１４を参照して施錠装置７５の構成についてより詳しく説明する。図１３（ａ）は施錠装置７５の斜視図、図１３（ｂ）は施錠装置７５の内部構造を示す背面図、図１４は施錠装置７５を主要な構成毎に分解して示す分解斜視図である。
【０１２０】
先ず、施錠装置７５を構成するベース体３５１について補足説明する。ベース体３５１において内枠ベース体５０の縦フレーム部材５２（詳しくは長板部３３１の外面３３２）と対向している部分には板状部３５２が形成されている。板状部３５２の四辺には上記外周フランジ部３５３が形成されている。外周フランジ部３５３のうち板状部３５２の後端部から起立している部分には、長板部３３１の外面３３２に面接触するよう形成された取付板部３５４が形成されており、この取付板部３５４に形成された丸孔にネジ３５５が挿入された状態で当該ネジ３５５が長板部３３１に螺着される構成となっている。
【０１２１】
ベース体３５１については全体として水平断面略コ字状をなしている。これにより、ベース体３５１（施錠装置７５）自体の剛性を確保するだけでなく、縦フレーム部材５２と一体化された状態で同縦フレーム部材５２を補強する補強部材としての機能を高めることが可能となっている。また、施錠装置７５の各種駆動部品については取付対象であるベース体３５１の強度不足により、その動作に支障をきたす恐れがあるが、ベース体３５１についても縦フレーム部材５２（長板部３３１）によって補強されるため、施錠装置７５の薄型化に起因した強度不足により上記動作不良等が生じるといった不都合を生じにくくすることが可能となっている。
【０１２２】
板状部３５２の下端部寄りとなる部分、より詳しくは上記中間フレーム部材５５の側方に位置する部分には、解除操作部たるシリンダ錠７８が施錠ユニットに隣接して配置されている。上記施錠ユニットとシリンダ錠７８とを別体として、縦フレーム部材５２を挟んで配置することにより、施錠ユニットの薄型化が促進されている。
【０１２３】
図１２等に示すように、シリンダ錠７８は横フレーム部材５４（詳しくは中間フレーム部材５５の板状部５６）に取り付けられている台座３７１と、その台座３７１からパチンコ機１０の前方に向けて延びる円筒状のシリンダ本体３７２と、そのシリンダ本体３７２の内部に収容された錠軸部とを有しており、台座３７１に形成された貫通孔に対して内枠１３の正面側から挿入された複数のネジ３７３が中間フレーム部材５５に取り付けられることで横フレーム部材５４（詳しくは中間フレーム部材５５）に一体化されている。
【０１２４】
シリンダ本体３７２の一端及び錠軸部の一端は、前扉枠１４（詳しくは枠体２０）に形成された挿通孔を介してパチンコ機１０の正面側に露出している（図１参照）。錠軸部においてパチンコ機１０の正面側に露出している側の端部にはキー孔３７４が形成されている。このキー孔３７４に対して解錠操作用の操作キーを挿入し、同操作キーを錠軸部の中心軸線を中心として回動させることで、パチンコ機１０外部からの解錠操作が行われる。
【０１２５】
錠軸部の他端は、横フレーム部材５４及び中間フレーム部材５５に形成された錠軸部用の開口５８を介して内枠１３の後方に露出しており、その露出している部分にはカム部材３７５が装着されている。カム部材３７５は、図１３に示すように、内枠１３の背面側から螺着されたネジによって錠軸部５２３に着脱可能な状態で固定されており、上述したキー操作に伴って錠軸部が回動した場合に同錠軸部と共に回動する。本実施の形態におけるシリンダ錠７８においては特に、操作キーによる解錠操作が行われない限り錠軸部を回動させることができない内部構造を有しており、カム部材３７５を指等で直接回動させることが不可となっている。なお、シリンダ錠７８として、不正解錠防止機能の高いオムロック（登録商標）を用いる構成としてもよい。
【０１２６】
カム部材３７５は、基枠固定部５１１と平行な円板状部分を有しており、その円板状部分の周縁において施錠ユニット側（右側壁部３１４側）となる部分には、略放射方向に突出する上下一対の爪部３７６，３７７が形成されている。
【０１２７】
施錠装置７５は、カム部材３７５の動作（詳しくは爪部３７６，３７７の変位）に追従して移動する連動杆３６１を備えている。連動杆３６１は、ベース体３５１に沿って延びる長板状をなすとともに同ベース体３５１よりも若干短く形成されており、当該ベース体３５１の板状部３５２の内面に当該ベース体３５１の長手方向にスライド移動可能な状態で取り付けられている。
【０１２８】
ベース体３５１にはカム部材３７５と連動杆３６１とを組み合せるための連通孔３５６が形成されており、連動杆３６１にはカム部材３７５の爪部３７６，３７７と係合する係合片３６２が形成されている。各爪部３７６，３７７が係合片３６２に係合した状態で回動することで、それら爪部３７６，３７７によって連動杆３６１がベース体３５１の長手方向（すなわち上方及び下方）に押される。つまり、キー操作によって発生する外力が錠軸部→カム部材３７５→連動杆３６１の順に伝達され、連動杆３６１が上下にスライド移動することとなる。
【０１２９】
本実施の形態におけるシリンダ錠７８においては、既に説明したようにキー操作によってのみ錠軸部及びカム部材３７５の回動が許容される。連動杆３６１をスライドさせようとしてもカム部材３７５の爪部３７６，３７７と連動杆３６１の係合片３６２とが係合することにより、当該連動杆３６１の移動が阻止される。つまり、施錠装置７５においては、カム部材３７５や連動杆３６１を動作させる場合にはキー操作が不可欠な構成となっている。
【０１３０】
なお、施錠装置７５（特にシリンダ錠７８）が故障した際には、パチンコ機１０の背面側から上記開口５８を通じてカム部材３７５固定用のネジにアクセス可能となっているため、それらネジを例えば島設備の内側から取り外すことにより、施錠状態を強制的に解除させることが可能である。つまり、上記開口５８については、サービスホールとしての機能が付与されている（図１２参照）。
【０１３１】
図１４に示すように、ベース体３５１においてシリンダ錠７８の上方となる部位、詳しくは遊技盤８０の側方となる部位には、前扉枠１４の鉤受け部材６３に引っ掛かる施錠位置と、同鉤受け部材６３に引っ掛からない施錠解除位置との両位置に切替可能な前扉用鉤部材７６が複数（詳しくは２つ）設けられている。前扉用鉤部材７６は板状部３５２の内面に平行な略平板状をなす本体部３８１と、本体部３８１の前端部に形成された鉤部３８２とを有している。ベース体３５１には、鉤部３８２の前扉枠１４側への突出を許容するスリット３５７が形成されている。鉤部３８２は下方に凸となる爪状をなしている。この爪状部分が前扉枠１４の鉤受け部材６３に対して上側から引っ掛かることにより前扉枠１４が施錠された状態となっている。
【０１３２】
本体部３８１には、ベース体３５１の長手方向（つまり連動杆３６１のスライド方向）に延びる長孔３８３が形成されており、ベース体３５１にはその長孔３８３に嵌まる軸ピン３６６が取り付けられている。この軸ピン３６６によって前扉用鉤部材７６がスライド移動可能な状態で保持されている。より詳しくは、長孔３８３は、軸ピン３６６から上下方向に延びており、前扉用鉤部材７６の上方への移動、すなわち鉤受け部材６３から離れる側への移動が許容されている。
【０１３３】
本体部３８１の端部には、縦フレーム部材５２側へ起立する突起が形成されている。当該突起の先端部分が連動杆３６１に形成された開放部５４３から突出している。突起５５４の先端部分には、付勢部材としてのコイルバネ３６７が取り付けられており、同コイルバネ３６７によって前扉用鉤部材７６が施錠位置に向けて（上方に）付勢された状態となっている。つまり、コイルバネ３６７の付勢力により前扉用鉤部材７６が施錠位置にて保持されている。なお、前扉用鉤部材７６における付勢部材の取付部としては、上記突起５５４に代えて孔部等を用いてもよい。
【０１３４】
連動杆３６１が上方へスライド移動すると、連動杆３６１によって前扉用鉤部材７６が上方へ押され、前扉用鉤部材７６がコイルバネ３６７の付勢力に抗して施錠位置から施錠解除位置に移動することとなる。
【０１３５】
これら前扉用鉤部材７６は、遊技盤８０の上端部及び下端部寄りとなる位置にそれぞれ配置されており、遊技盤８０付近での前扉枠１４の浮き上がりを好適に抑えることが可能となっている。
【０１３６】
また、前扉用鉤部材７６は、シリンダ錠７８の下方（詳しくは施錠装置７５の下端位置）にも配置されており、すなわち前扉枠１４の下端寄りとなる位置にも配置されており、前扉枠１４を施錠している状態での同前扉枠１４の下端部の浮き上がりを抑制しやすくしている。この下端部に配置された前扉用鉤部材７６に関連する構成についてもそのほとんどがシリンダ錠７８の上方に配置された各前扉用鉤部材７６と同様であるため、詳細な説明は省略する。
【０１３７】
なお、前扉用鉤部材７６の個数は３つに限定されるものではなく、例えば１つ、２つとしてもよいし、４つ以上とすることも可能である。但し、前扉用鉤部材７６を１つとした場合、一方の手で不正具を操ることで施錠状態が不正に解除され、他方の手で前扉枠１４が開放（回動）され得る。この点、前扉用鉤部材７６を２つ以上とすることで、不正解錠に両の手を必要とし、例えば不正行為者が単独である場合には、前扉枠１４の開放を難しくすることができる。これにより、不正行為（いわゆる引っ掛けゴト）を好適に抑制することができる。
【０１３８】
次に、遊技機主部１２（内枠１３）を外枠１１に対して閉じた状態で施錠する構成について説明する。
【０１３９】
ベース体３５１の板状部３５２には、内枠１３を外枠１１に対して閉じた状態で施錠する施錠状態と施錠解除状態とに切替可能な上記内枠用鉤部材７７が取り付けられている。内枠用鉤部材７７は、上側の前扉用鉤部材７６の下方及び下側の前扉用鉤部材７６（シリンダ錠７８よりも下側の前扉用鉤部材７６）よりも下方、すなわちベース体３５１の両端にそれぞれ配置されている。
【０１４０】
図１４に示すように、内枠用鉤部材７７には、板状部３５２の内面に対向する板状をなし部材取付部５１５及び前記連動杆３６１によって挟まれた本体部３９１と、本体部３９１から後方に延出する鉤部３９２とを有してなる。ベース体３５１には遊技機後方に貫通するスリット３５８が形成されており、鉤部３９２が同スリット３５８を介して内枠１３の背面側、詳しくは外枠１１側に突出している（図４参照）。
【０１４１】
鉤部３９２において内枠１３の背面側に突出している部分（すなわち鉤部３８２の先端）は、上方に凸となる爪状をなしている。この爪状部分が外枠１１に設けられた鉤受け部材１９に対して下方から引っ掛かることにより内枠１３が外枠１１に対して施錠された状態となる。
【０１４２】
本体部３９１には、ベース体３５１の長手方向（つまり連動杆３６１のスライド方向）に延びる長孔３９３が形成されており、ベース体３５１にはその長孔３９３に嵌まる軸ピン３６８が取り付けられている。この軸ピン３６８によって内枠用鉤部材７７がスライド移動可能な状態で保持されている。より詳しくは、長孔３８３は、軸ピン３６８から上下方向に延びており、内枠用鉤部材７７の上方への移動、すなわち外枠１１の鉤受け部材１９から離れる側への移動が許容されている。
【０１４３】
なお、本実施の形態においては、連動杆３６１と下側の内枠用鉤部材７７とを連動させるための連動部材３９８を併用している。連動部材３９８は内枠用鉤部材７７の本体部３９１と同様に平板状をなしており、連動杆３６１と内枠用鉤部材７７との間に挟まるように、同内枠用鉤部材７７と重ねて配置されている。
【０１４４】
上側の内枠用鉤部材７７の端部及び下側の内枠用鉤部材７７に付随する連動部材３９８の端部には、縦フレーム部材５２の長板部３３１側に起立する突起が形成されている。これら各突起には、内枠用鉤部材７７を施錠位置に向けて付勢する付勢部材として上記コイルバネ３６７が取り付けられている。
【０１４５】
本実施の形態においては、施錠装置７５の上部に配置された鉤部材７６，７７を繋ぐようにして上記コイルバネ３６７が配置されており、施錠装置７５の下部に配置された鉤部材７６，７７を繋ぐようにして上記コイルバネ３６７が配置されている。一方、施錠装置７５の中央に配置された前扉用鉤部材７６に付随するコイルバネ３６７はその一端がベース体３５１に取り付けられている。
【０１４６】
このように、互い違いに動く複数種の鉤部材７６，７７が隣接配置されている部分では、コイルバネ３６７によって両者を付勢することで構成の簡略化を図り、ひいては施錠装置７５の薄型化に貢献している。
【０１４７】
また、各鉤部材７６，７７を縦フレーム部材５２の長板部３３１と平行な板状に形成し、横幅が比較的大きくなりやすい鉤受け部材１９及び鉤受け部材６３を前扉枠１４及び外枠１１にそれぞれ配することで、施錠装置７５の更なる薄型化が実現されている。
【０１４８】
本実施の形態における施錠装置７５においては、当該施錠装置７５の薄型化を実現するための工夫として、以下の構成が採用されている。既に説明したように両鉤部材７６，７７にてコイルバネ３６７の共通化を図ることで、付勢手段の占有領域の省スペース化を実現している。しかしながら、このような構成であっても、コイルバネ３６７が施錠装置７５の厚さ方向に各鉤部材７６，７７と並んでしまうと、コイルバネ３６７の厚さを考慮して施錠装置７５の厚さを大きくする必要が生じる。
【０１４９】
この点、本実施の形態においては、図１３及び図１５に示すように、コイルバネ３６７を各鉤部材７６，７７とは前後方向にずらして配置し、連動杆３６１の長辺部に切欠き部３６３を形成して、同切欠き部３６３内にそれらコイルバネ３６７を収容している。これにより、コイルバネ３６７の存在によって施錠装置７５（くわしくは駆動機構）の厚みが嵩むことを抑制している。
【０１５０】
ここで、操作キーＫの回動操作に伴う施錠装置７５の動作について図１５及び図１６に基づき説明する。図１５は操作キーＫを時計回りに回動させて解錠を行う場合の施錠装置７５の動作を示し、図１６は操作キーＫを反時計回りに回動させて解錠を行う場合の施錠装置７５の動作を示している。なお、図１５及び図１６においては、施錠対象となる鉤受け部材１９及び鉤受け部材６３を２点鎖線によって示している。
【０１５１】
図１５では操作キーＫをシリンダ錠７８に差し込んで、時計回りに回動操作している。すると、操作キーＫの回動操作に連動してカム部材３７５の下側爪部３７６により連動杆３６１の係合片３６２が押し上げられ、連動杆３６１が上昇する。この連動杆３６１の上昇に伴って同連動杆３６１により前扉用鉤部材７６が上方に押される。これにより、各前扉用鉤部材７６がコイルバネ３６７の付勢力に抗してスライド移動（上昇）し、同前扉用鉤部材７６と鉤受け部材６３との引っ掛かり、すなわち施錠状態が解除される（図１５（ｂ）参照）。このように施錠状態が解除されることにより、内枠１３に対しての前扉枠１４の開放が許容される。その後、操作キーＫの回動操作を止めると、コイルバネ３６７の付勢力により、連動杆３６１及び前扉用鉤部材７６が初期位置に復帰する。
【０１５２】
なお、コイルバネ３６７については、内枠用鉤部材７７に取り付けられているとともに、内枠用鉤部材７７の上方への移動はベース体３５１の軸ピン３６６によって抑えられる。故に、上記解錠操作を行った場合には、連動杆３６１及び前扉用鉤部材７６を初期位置に復帰させる付勢力が蓄えられるとともに、内枠用鉤部材７７の施錠が維持される。
【０１５３】
図１６では操作キーＫをシリンダ錠７８に差し込んで、反時計回りに回動操作している。すると、操作キーＫの回動操作に連動してカム部材３７５の上側爪部３７７により連動杆３６１の係合片３６２が押し下げられ、連動杆３６１が下降する。この連動杆３６１の下降に伴って同連動杆３６１により内枠用鉤部材７７が下方に押される（図１６（ｂ）参照）。これにより、各内枠用鉤部材７７がコイルバネ３６７の付勢力に抗して回動し、同内枠用鉤部材７７と鉤受け部材１９との引っ掛かり解除される。以上の如く、各内枠用鉤部材７７の引っ掛かりが解除されることで、遊技機主部１２（内枠１３）の施錠状態が解除される。このように施錠状態が解除されることにより、外枠１１に対しての遊技機主部１２（内枠１３）の開放が許容される。その後、操作キーＫの回動操作を止めると、コイルバネ３６７の付勢力により、連動杆３６１及び各内枠用鉤部材７７が初期位置に復帰する。
【０１５４】
なお、コイルバネ３６７については、前扉用鉤部材７６等に取り付けられているとともに前扉用鉤部材７６の下方への移動はベース体３５１の軸ピン３６８によって抑えられる。故に、上記解錠操作を行った場合には、連動杆３６１及び内枠用鉤部材７７を初期位置に復帰させる付勢力が蓄えられるとともに、前扉用鉤部材７６の施錠が維持される。
【０１５５】
（施錠装置７５の固定にかかる構成）
次に、図１７を参照して、施錠装置７５（詳しくは施錠ユニット）を縦フレーム部材５２に固定するための構成について補足説明する。図１７は施錠装置７５と縦フレーム部材５２との関係を示す断面図である。
【０１５６】
既に説明したように、施錠装置７５についてはベース体３５１の外周フランジ部３５３に形成された取付板部３５４に挿通されたネジ３５５が縦フレーム部材５２の長板部３３１に螺着されることで施錠装置７５と縦フレーム部材５２とが一体化される。しかしながら、このようなネジ止めによる固定を行う場合には、強度向上を目的とすれば固定箇所を多く設定する必要が生じ、施錠装置７５の固定作業が煩雑なものになり、製造効率の悪化を招く要因となる。
【０１５７】
この点本実施の形態においては、そのような不都合を解消するための工夫が施されている。具体的には施錠装置７５の前部と後部とで異なる固定方法が採用されている。当該後部での固定態様は上記ネジ止めによるものであるため説明を援用し、施錠装置７５の前部における固定態様について説明する。
【０１５８】
図１７に示すように、縦フレーム部材５２の長板部３３１において遊技盤８０の前面よりも前方に延出している部分には、外側に折り曲げられ遊技機正面を向くように形成された前面部３３５が形成されている。この前面部３３５に前扉用鉤部材７６に対応した上記スリットが形成されている。前面部３３５において長板部３３１とは反対側の端部には遊技機後方へ延びる返し部３３６が形成されており、縦フレーム部材５２の前端部における水平断面は長板部３３１、前面部３３５、返し部３３６によって略コ字状をなしている。これにより、施錠装置７５のベース体３５１を挿入する挿入部３４０が形成されている。
【０１５９】
一方、施錠装置７５のベース体３５１については、板状部３５２の前端部に形成された上記外周フランジ部３５３（以下、前フランジ部３５３ａという）の起立寸法が、上記長板部３３１と返し部３３６の隙間寸法と同等となるように（詳しくは僅かに大きくなるように）設定されている。
【０１６０】
施錠装置７５を縦フレーム部材５２に装着する際には、先ず施錠装置７５（施錠ユニット）のベース体３５１を上記挿入部３４０に挿入させる。これにより、図１７に示すように、ベース体３５１の前部と縦フレーム部材５２の前部とが嵌合し、縦フレーム部材５２からの施錠装置７５の脱落が回避されることとなる。このような嵌合状態とした後に、上記ネジ止めを行うことで、施錠装置７５の固定作業が完了することとなる。
【０１６１】
上記挿入部３４０（嵌合部３４０）については、縦フレーム部材５２の上端から下端に亘って形成されており、その高さ寸法については、フレーム部材５２の高さ寸法と同等となっている。このため、施錠装置７５が上下方向にずれることもなく、その着脱方向が前後方向となるように規制されている。
【０１６２】
このように施錠装置７５の着脱方向を規制することにより、パチンコ機１０の正面側から施錠装置７５を不正に取り外すといった行為を困難なものとしている。
【０１６３】
また、縦フレーム部材５２の前面部３３５については遊技機側方に延出しており、その延出している部分には、遊技機前方に起立して設けられた一対の対向板部３４５が形成されている。これら対向板部３４５の間には隙間が存在しており、全体として遊技機前方に開放され上下に延びる溝状部３４６が構築されている。
【０１６４】
ここで、前扉枠１４の枠体２０は、その前面部２４の外周縁から後方に延びるように形成された周壁部２５を有しており、この周壁部２５の先端部分が上記溝状部３４６に挿入されることで、前扉枠１４と内枠１３との境界部位からワイヤ等の不正具を挿入するといった不正行為を困難なものとしている。
【０１６５】
特に、溝状部３４６が形成されている。縦フレーム部材５２の前部においては施錠装置７５のベース体３５１との嵌合により、上下方向における全域で強度向上が実現されているため、遊技機を強く押したり引いたりしても縦フレーム部材５２の前部が歪むことを抑制することができ、前扉枠１４と内枠１３との重なりを好適に維持することが可能となる。
【０１６６】
本実施の形態においては、前面部２４の延出部分の後方に外枠１１の右枠部１１ｂが位置している。より詳しくは、右枠部１１ｂは板面が左右を向くように形成されたベース部４０１を有しており、このベース部４０１の先端部には外側に凸となるフランジ部４０２が形成されている。上記延出部分の背面に外枠１１のフランジ部４０２が当接しており、これにより、内枠１３と外枠１１との隙間からワイヤ等の不正具が挿入されることを抑制している。また、上記溝状部３４６については、ベース体３５１の端部に位置し、更には、上記嵌合部３４０よりも外側にオフセットして配置されているため、嵌合部３４０周辺と比較して強度の低下が生じ得る。この点、外枠１１のフランジ部４０２をオフセット部分に対して後方から当接させておくことで、当該オフセット部分に負荷が加わったとしても、当該負荷を外枠１１に分散させることができる。これにより、上述した防犯機能低下の懸念を回避することができる。
【０１６７】
＜第２の実施の形態＞
上記第１の実施の形態においては、遊技盤８０に設けられた誘導レール１００及び遊技領域区画部材９９によって遊技領域ＰＥを区画形成する構成としたが、本実施の形態においては、遊技領域区画部材９９を省略することで、遊技領域ＰＥの更なる拡張を実現している。以下、図１８及び図１９を参照して遊技領域ＰＥの更なる拡張を実現するための構成について説明する。図１８は第２の実施の形態における内枠１３Ｂを示す正面図、図１９は図１８のＡ−Ａ線部分断面図である。なお、第１の実施の形態と同様の構成については説明を援用し、当該第１の実施の形態との相違点を中心に説明する。
【０１６８】
図１８に示すように、遊技盤８０Ｂは上記遊技領域区画部材９９が廃止されており、右側の縦フレーム部材５２の長板部３３１によって遊技領域の右側限界位置が規定されている。
【０１６９】
具体的には、図１９に示すように長板部３３１において遊技盤８０Ｂの前面よりも前方に延出している部分（以下、延出部３３１ａという）が遊技領域ＰＥ側を向いている。この延出部３３１ａ（詳しくは右側壁部３１４）についても遊技盤８０の前面と直交しており、当該右側壁部３１４に当たった遊技球は遊技領域ＰＥの中央側（可変表示ユニット８５側）へ跳ね返されることとなる。
【０１７０】
本実施の形態においては、図１８に示すように、外レール１０２Ｂが右側壁部３１４に近接する位置まで延長されており、その延長されている部分は、緩やかな円弧状をなしている。延長部分の曲率は、第１の実施の形態における外レール１０２Ｂの右端部（詳しくは頂部よりも右側となる部分）よりも大きく設定されており、遊技球に働く遠心力が弱くなることで、早期の外レール１０２Ｂからの離脱を可能とするための工夫である。これにより、遊技者は、遊技球発射ハンドル４１の操作量を加減することで、上記右ルートにおいても遊技球を可変表示ユニット８５寄りとなる位置〜右側壁部３１４寄りとなる位置の間の任意の位置で落下させることが可能となり、遊技領域ＰＥの拡張による遊技球の流下経路の多様化を実現しやすくなっている。
【０１７１】
しかしながら、このように右側壁部３１４自体に遊技領域ＰＥを区画形成する機能を付与しようとした場合、右側壁部３１４と遊技盤８０の端面との間に隙間が生じえる。仮に、このような隙間が生じた場合には、美的外観を損ねるだけでなく、隙間が遊技球の挙動に変化を与える要因（引っ掛かり等の要因）となり得る。
【０１７２】
特に、上述の如く作業性向上等の観点から遊技盤８０Ｂを回動させて遊技機前方から装着する構成においては、遊技盤８０の回動先端部と右側壁部３１４との間にある程度の動作隙が必要となり、上記不都合の発生を抑えることが困難となる。
【０１７３】
そこで、本実施の形態においては、遊技盤８０Ｂの右端面（右側面）に以下の形状変更を加えることで、回動装着時の引っ掛かりを回避しつつ、上記隙間の発生を抑えることを可能としている。
【０１７４】
具体的には、図１９に示すように、遊技盤８０Ｂの右端面における前部は、右側壁部３１４と対向する平面状（平面部８０ｂ）をなし、当該右端面の後部については、遊技盤８０Ｂの回動基端部を中心とする円弧状（曲面部８０ｃ）をなすように形成した。これにより、遊技盤８０Ｂを回動させて装着する構成において、その装着軌道上から右側壁部３１４が外れるとともに、遊技盤８０Ｂが装着完了位置に配置された状態では平面部８０ｂが右側壁部３１４と当接する。
【０１７５】
これにより、右側壁部３１４に衝突した際の遊技球の挙動の安定化を実現しつつ、それに起因した遊技盤８０Ｂの装着作業性の低下を抑えることができる。
【０１７６】
特に、縦フレーム部材５２については、施錠装置７５と一体化することで、薄型化と強度向上との両立が実現されている。ここで、縦フレーム部材５２と施錠装置７５との固定箇所については、上記延出部３３１ａの先端部と遊技盤８０Ｂの背面よりとなる部分となっており、遊技球の衝突位置がこれら両固定箇所の中間位置になるように工夫されている。これにより、遊技球が衝突した際の衝撃をある程度緩和させることができ、遊技球及び縦フレーム部材５２の双方の保護を図っている。
【０１７７】
また、施錠に掛かる各種機構については、縦フレーム部材５２の長板部３３１ではなく施錠装置７５のベース体３５１に取り付けられている。故に、上述した遊技球の衝突が繰り返されて、仮に長板部３３１に歪み等が生じた場合であっても、施錠機能が上手く発揮されなくなることはない。
【０１７８】
＜第３の実施の形態＞
上記第２の実施の形態においては、縦フレーム部材５２に遊技領域ＰＥを区画形成する機能を付与することで、遊技領域ＰＥの更なる拡張を実現した。確かに、第１の実施の形態に示したように、縦フレーム部材５２については施錠装置７５と一体化されることで、その強度が担保されており、遊技球の繰り返しの衝突による変形のリスクは低いと想定される。しかしながら、縦フレーム部材５２に対して繰り返し衝突した遊技球が変形する可能性は否定できない。そこで、本実施の形態においては、このような不都合等を解消するための工夫が施されている。
【０１７９】
以下、図２０を参照して本実施の形態における特徴的な構成について説明する。図２０（ａ）は内枠１３Ｃを正面側から見た部分拡大図、図２０（ｂ）は図２０（ａ）のＢ−Ｂ線部分断面図である。
【０１８０】
右側の縦フレーム部材５２Ｃの長板部３３１（詳しくは延出部３３１ａ）には、上記収容領域ＩＳ側に凸となるようにして溝部３５９が形成されている。溝部３５９は遊技領域ＰＥ側に開放されており、その開放されている部分には緩衝部材３６０（例えばゴムやシリコンパッド）が収容されている。
【０１８１】
第１の実施の形態にて説明したように、収容領域ＩＳには鉤部材７６，７７や連動杆３６１等が内蔵されており、それら両者が左右に重なる位置では収容領域ＩＳが部分的に狭くなっている。この点、本実施の形態においては、それら極小化されている部分の間、すなわち上側の内枠用鉤部材７７（上側の前扉用鉤部材７６）と中間位置の前扉用鉤部材７６との間に上記溝部３５９が形成され、収容領域ＩＳ内での各種部材と溝部３５９の出っ張りとを共存させることが可能となっている。
【０１８２】
これに併せて外レール１０２Ｃの曲率や釘等の配置が工夫されており、上記溝部３５９が配置された範囲は、外レール１０２Ｃから離間した遊技球が直接衝突し得る範囲となるように設定されている。これにより、緩衝部材３６０による減勢機能（保護機能）を享受しつつ、それに起因した各種不都合の発生を抑えることが可能となっている。
【０１８３】
また、緩衝部材３６０の遊技領域ＰＥ側への出っ張りを回避することが可能であるため、第２の実施の形態に示した装着作業性の向上等の各種効果を担保することもできる。
【０１８４】
更に、負荷の加わりやすい部分に溝部３５９を形成しておくことで、縦フレーム部材５２Ｃの強度を向上させて、このような負荷へ対応できる強度を好適に確保することが可能である。
【０１８５】
なお、上述した各実施の形態の記載内容に限定されず、例えば次のように実施してもよい。因みに、以下の別形態の構成を、上記各実施の形態における構成に対して、個別に適用してもよく、相互に組み合わせて適用してもよい。
【０１８６】
（１）上記各実施の形態では、前扉枠１４の周壁部２５が挿入される溝状部３４６を施錠装置７５とベース体３５１の嵌合部分よりも外側にオフセットさせる構成としたがこれに限定されるものではない。例えば、図２１の概略図に示すように、縦フレーム部材５２Ｄの前面部３３５Ｄを挟んで収容領域ＩＳとは反対側となる位置に対向板部３４５Ｄ（溝状部３４６）を形成してもよい。このように、嵌合部分（強度が高くなりやすい部分）の近くに溝状部３４６Ｄを配すれば、前扉枠１４Ｄの周壁部２５Ｄとのラップ構造を一層強固なものとすることができ、歪等への耐力を容易に向上させることができる。
【０１８７】
（２）図２１に示すように遊技盤８０Ｄと縦フレーム部材５２Ｄとの境界部位に後方から対向する対向部３６４を縦フレーム部材５２Ｄに設けることで、外観向上や防犯機能の向上等の各種効果を享受できる。また、このような構成を採用することで、縦フレーム部材５２Ｄの構造自体は複雑になるが、遊技領域ＰＥの拡張の妨げとなることはなく、更には縦フレーム部材５２Ｄの強度向上を実現できる。なお、境界部位を後方から塞ぐ機能に着目すれば、上記対向部３６４を遮蔽部３６４と称することも可能である。
【０１８８】
（３）上記各実施の形態では、縦フレーム部材５２と施錠装置７５のベース体３５１とを、前部では嵌合構造、後部ではネジ止め構造を利用して一体化したが、これら縦フレーム部材５２とベース体３５１との固定構造については任意である。
【０１８９】
但し、ベース体３５１には各種鉤部材７６，７７等の機構部品が装着され、その重量が嵩みやすい。故に、単にネジ等の固定具によって一体化させようとした場合には、作業負荷が多大なものになると想定される。また、第２の実施の形態等に示したように、縦フレーム部材５２自体が遊技領域を区画形成する構成においては、縦フレーム部材５２の後部と比べて前部（延出部３３１ａ）での強度確保が重要になると想定される。故に、望ましくは、上記各実施の形態に示したように、縦フレーム部材５２とベース体３５１とを固定する場合には、前側を嵌合させて、後側をネジ止めする構成を採用することが好ましい。
【０１９０】
（４）上記第２及び第３の実施の形態では、内枠ベース体５０の複数のフレーム部材５１〜５４を組み合せて形成したが、これに限定されるものではなく、合成樹脂等等を用いて一体成形することも可能である。内枠ベース体の右側の枠部に遊技領域ＰＥを区画形成する機能が付与されるのであれば足り、このような構成の実現にあたっては右側の枠部を金属製として薄型化することは必須でない。
【０１９１】
（５）上記各実施の形態では、鉤部材７６，７７等の施錠に掛かる各種機構部品をベース体３５１の内面に取り付ける構成としたが、これを変更し、ベース体３５１の外面に取り付ける構成とすることも可能である。但し、施錠装置７５は不正の対象として狙われやすいものであることを考慮すれば、上記各実施の形態に示したように収容領域ＩＳ内に隠す構成とすることが好ましい。
【０１９２】
（６）上記各実施の形態では、遊技盤８０を内枠ベース体５０に対して回動させて装着する構成としたが、これに限定されるものではなく、遊技盤８０を後方へスライドさせることで装着する構成としてもよい。但し、遊技ホール等でのメンテナンス作業等を考慮した場合、遊技盤８０については内枠ベース体５０の後方からではなく前方から装着可能とすることが望ましい。
【０１９３】
（７）上記第３の実施の形態では、縦フレーム部材５２Ｄの長板部３３１Ｄを凹ませて緩衝部材３６０用の収容空間を形成し、緩衝部材３６０の遊技領域ＰＥ側への突出を回避したがこれを以下のように変更してもよい。すなわち、右側壁部３１４の表面に緩衝部材３６０に相当する構成を取り付けて、遊技領域ＰＥへ緩衝部材が突出する構成とすることも可能である。但し、このような構成とした場合には、内枠ベース体５０に遊技盤８０を装着する際に遊技盤８０と緩衝部材との引っ掛かりを回避する必要が生じ、作業性の低下を招く可能性がある。故に、緩衝部材については遊技領域ＰＥ側への突出を回避するように配置することが好ましい。
【０１９４】
（８）上記３の実施の形態では、上下に離間して配置された鉤部材７６，７７の間となる空間を利用して、緩衝部材３６０を収容する空間を確保したが、緩衝部材３６０の配置範囲については任意に設定してよい。例えば、内枠用鉤部材７７と比較して前扉用鉤部材７６については、遊技機前方への突出しているため、緩衝部材との干渉を回避する必要性が高い。そこで、緩衝部材３６０を上側の前扉用鉤部材７６と中間位置の前扉用鉤部材７６との間に配置してもよい。なお、上記中間位置の前扉用鉤部材７６を有しない構成においては、緩衝部材３６０の配置範囲の下限位置を遊技盤８０Ｄの下端位置に設定することも可能である。
【０１９５】
（９）上記各実施の形態とは異なる他のタイプのパチンコ機等、例えば特別装置の特定領域に遊技球が入ると電動役物が所定回数開放するパチンコ機や、特別装置の特定領域に遊技球が入ると権利が発生して大当たりとなるパチンコ機、他の役物を備えたパチンコ機、アレンジボール機、雀球等の遊技機にも、本発明を適用できる。
【０１９６】
＜上記実施の形態から抽出される発明群について＞
以下、上述した実施の形態から抽出される発明群の特徴について、必要に応じて効果等を示しつつ説明する。なお以下においては、理解の容易のため、上記実施の形態において対応する構成を括弧書き等で適宜示すが、この括弧書き等で示した具体的構成に限定されるものではない。
【０１９７】
以下の特徴Ａ群及び特徴Ｂ群は、「パチンコ機等の遊技機には、前面に遊技領域が形成された遊技盤を枠体に搭載してなるものがある。遊技者の発射操作に基づいて発射された遊技球が遊技領域に設けられた入球部に入賞することにより、通常の遊技状態よりも遊技者に有利な特別遊技状態への移行を行うか否かの当否抽選や遊技球の払出し等の特典が遊技者に付与される（例えば特開２００３−１９０５１１号公報参照）。この種の遊技機においては、入球部への入賞を契機として図柄の変動表示を行う図柄表示装置や図柄の変動表示に合わせて動作することにより当否抽選結果の示唆等を行う可動役物等の遊技演出にかかる各種遊技機器が遊技領域に配置されることにより遊技機への注目度の向上が図られているものがある。このような構成とすることで、入球部へ向けた遊技球の動き、入賞に基づく特典の享受、特典の享受に到るプロセス（演出）が一体となり、遊技機の興趣向上が実現されている。また、遊技機の見栄え向上を目的とする装飾部材等の遊技部品を遊技領域に配置することで上記注目度の向上を図ったものもある。特に、近年では遊技領域に配置された遊技機器等の大型化によってよりインパクトの強い演出等を可能とし、遊技者の注目度の向上が図られているものがある。しかしながら、上述したタイプの遊技機においては、遊技球の動きを目で追える構成としたこと自体が遊技機本来の興趣向上手段となっている。このため、上記遊技機器や遊技部品の大型化等を行う場合には、遊技球の流下領域の担保が前提となり得る。遊技領域にてこれら流下領域及び遊技機器等を共存させようとした場合には、例えば遊技領域自体を拡張することが有効な解決手段となり得るが、遊技ホールの島設備との関係から遊技機の横幅に一定の制限が設けられている等の理由からそのような対応が困難なのが実状である。言い換えれば、遊技領域の拡張等を実現して流下領域及び遊技機器等の共存等を図る上では、遊技機の構造に未だ改良の余地がある。」という背景・課題等に鑑みてなされたものである。
【０１９８】
特徴Ａ１．前面に遊技領域（遊技領域ＰＥ）が形成された遊技盤（遊技盤８０）と、
前記遊技盤を支持する支持枠（内枠ベース体５０）と
を備え、
外枠に対して前記支持枠が回動可能に取り付けられた遊技機であって、
前記支持枠における回動先端部に設けられ、前記支持枠を前記外枠に対して閉じた状態で施錠する施錠装置（施錠装置７５）を備え、
前記支持枠は、上下に延びる一組の縦枠フレーム部材（縦フレーム部材５１，５２）と、それら各縦枠フレーム部材の上下異なる二箇所をそれぞれ繋ぐようにして設けられた横枠フレーム部材（横フレーム部材５３，５４）とが組み合わされてなり、それら各フレーム部材によって囲まれた空間が前記遊技盤を収容する収容領域（収容凹部７３）となるように構成されており、
前記両縦枠フレーム部材のうち前記支持枠の回動先端側に配置された一方は、上下に延びる長板部（長板部３３１）を有し、前記長板部はその内面（右側壁部３１４）が前記遊技盤の端面と対向しその外面（外面３３２）が前記施錠装置の取付面となっており、
前記施錠装置は、前記外枠に設けられた鉤受け部材（鉤受け部材１９）に係合する鉤部材（内枠用鉤部材７７）と、所定の解錠操作に基づいて動作することで前記鉤部材を係合状態から非係合状態に切り替え可能な連動部材（連動杆３６１）と、それら鉤部材及び連動部材が搭載される取付板部（板状部３５２）が形成されたベース体（ベース体３５１）とを有してなり、前記取付板部が前記長板部の前記外面と対向するようにして配置されていることを特徴とする遊技機。
【０１９９】
特徴Ａ１に示すように、外枠に対して回動可能に取り付けられた支持枠により遊技盤を支持する構成においては、遊技盤の位置精度の向上や支持枠を開閉する際の同支持枠の歪みの抑制等を考慮して、支持枠にある程度の強度を付与する必要がある。しかしながら、単に強度向上を図ろうとした場合、支持枠を構成するフレーム部材の横断面を大きくすることが考えられるが、このような対応は結果として遊技盤（詳しくは遊技領域）の拡張を困難にする要因となる。
【０２００】
この点、本特徴においては、縦枠フレーム部材の長板部と施錠装置（詳しくはベース体）の取付板部とが対向した状態で固定されることで、個々の部材の強度を無理に強化しなくても、両部材が一体となることで、縦枠部分全体での強度を向上することができる。特に、上述の如く長板部の外面と取付板部とを相対向させて配置すれば、二つの部材の組合せによる横幅の増大を好適に抑制することができ、強度担保と省スペース化とを両立することができる。このようにして、縦枠部分の薄型化を実現することにより、遊技盤（遊技領域）の拡張に貢献することができる。
【０２０１】
また、施錠装置は、遊技機においては必須の構成であり、施錠機能の担保を考慮した場合、ベース体についてもある程度の強度が必要となる。このような強度がある程度担保されている既存の構成を利用して、縦枠部分の強化を図ることにより、強度向上のための構成を別途設けることなく同縦枠部分の薄型化を促進することができ、結果として遊技盤（遊技領域）の拡張が好適に実現される。
【０２０２】
特徴Ａ２．前記施錠装置が前記縦枠フレーム部材に取り付けられた状態では前記取付板部と前記長板部とが隙間を隔てて相対向し、それら取付板部及び長板部によって挟まれた空間が前記鉤部材及び前記連動部材を収容する収容領域（収容領域ＩＳ）として機能していることを特徴とする特徴Ａ１に記載の遊技機。
【０２０３】
特徴Ａ１に示したように施錠装置を支持枠の側部に配置している場合には、施錠装置の鉤部材や連動部材に直接アクセスされて不正に解錠操作が行われることが懸念される。この点、本特徴に示すように施錠装置の機構部分（鉤部材や連動部材等）を収容領域に配して露出を抑えることで、同機構部分への不正なアクセスを抑制することができる。これにより、防犯機能の向上が期待できる。
【０２０４】
また、取付板部と長板部とを隙間を隔てて相対向させるようにして固定すれば、断面係数を大きくして上記縦枠部分の強度の更なる向上を実現することができる。
【０２０５】
特徴Ａ３．前記取付板部には、その長手方向に延びるフランジ部（外周フランジ部３５３）が前記長板部側に起立するようにして形成されており、
前記施錠装置が前記長板部に固定された状態にて前記フランジ部が前記長板部に当接することにより、前記収容領域が前記長板部、前記取付板部及び前記フランジ部によって囲まれた領域となるように構成されていることを特徴とする特徴Ａ２に記載の遊技機。
【０２０６】
特徴Ａ３によれば、収容領域を閉じ構造とすることで、防犯性及び強度の更なる向上が期待できる。そして、このような構造であれば、縦枠部分での断面を無闇に大きくすることなく強度向上が期待できるため、遊技領域の拡張を好適に実現できる。
【０２０７】
また、施錠装置における鉤部材や連動部材等の機構部分については、施錠装置を単体で輸送等する場合に、フランジ部によって保護されることとなり、施錠装置が何かに緩衝して、施錠機能が損なわれることを抑制できる。
【０２０８】
なお、ベース体及び縦枠フレーム部材については、収容領域が閉空間となるように構成することが好ましい。
【０２０９】
特徴Ａ４．前記長板部の前端部には、前記遊技盤とは反対側に起立し遊技機正面側を向くように形成された前面部（前面部３３５）と、その前面部から遊技機後方へ折り返して形成された折返部（返し部３３６）とが形成され、それら取付板部、前面部及び折返部によって前記ベース体の前端部が挿入される挿入部（挿入部３４０）が形成されており、
前記挿入部及び前記ベース体は、前記挿入部に前記ベース体が遊技機後方から挿入されることにより前記縦枠フレーム部材と前記ベース体とが嵌合するように構成されていることを特徴とする特徴Ａ１乃至特徴Ａ３のいずれか１つに記載の遊技機。
【０２１０】
特徴Ａ１等に示したように施錠装置を縦枠フレーム部材とは別体で設け、両者を一体化させることで占有領域の増大を抑えつつ強度担保を実現しようとした場合、両者の固定箇所はできるだけ多いほうが好ましい。しかしながら、このように固定箇所を増やすことは遊技機製造時や施錠装置のメンテナンスを行う際の作業性の低下を招く要因となり得る。
【０２１１】
この点、本特徴によれば、ベース体を挿入部に挿入することで、両者が嵌合した状態となるため、上記不都合の発生を抑制できる。また、ネジ止め等の本固定作業時に施錠装置を持つ必要が無いので取り付けが容易になる。
【０２１２】
特徴Ａ５．前記遊技盤における一端側に設けられ、遊技球発射装置（遊技球発射機構１１０）から発射された遊技球を前記遊技領域へと誘導する誘導レール（誘導レール１００）を備え、
前記一組の縦枠フレーム部材のうち前記誘導レールが設けられている側とは反対側に位置する前記縦枠フレーム部材の前記長板部は、遊技盤の端面に対して側方から対向しており、
前記長板部の前端部は前記遊技盤よりも前方に延出する延出部（延出部３３１ａ）となっており、当該延出部が前記誘導レールとともに前記遊技領域を区画形成しており、
前記延出部において前記遊技領域とは反対側を向いている部分に前記挿入部が設けられていることを特徴とする特徴Ａ４に記載の遊技機。
【０２１３】
特徴Ａ５に示すように、縦枠フレーム部材自体が遊技領域を区画する機能を有している場合には、発射された遊技球が縦枠フレーム部材（詳しくは長板部）に当たることとなる。このように、遊技球が当たる箇所に固定具を用いた固定箇所を設けることは困難になり得る。そこで、上記特徴Ａ４に示す構成との組合せにより、遊技球が衝突する延出部において遊技領域とは反対側を向いている部分に挿入部（嵌合部分）を設けることにより、上記不都合の発生を回避することができる。
【０２１４】
特徴Ａ６．前記支持枠を遊技機前方から覆う扉体（前扉枠１４）を備え、
前記扉体の外周部には、前記支持枠側に突出する突条部（周壁部２５）が形成されており、
前記縦枠フレーム部材において前記挿入部とは反対側となる部分には、前記突条部の先端部分が収容される収容凹部（溝状部３４６）が形成されていることを特徴とする特徴Ａ４又は特徴Ａ５に記載の遊技機。
【０２１５】
特徴Ａ６によれば、前扉の突条部が収容凹部に入り込むことで、扉体と支持枠との境界部位からワイヤ等の不正具が挿入されることを抑制することができる。特徴Ａ４等に示したように縦枠部の前部において縦枠フレーム部材とベース体とが嵌合することで強度担保が実現されているため、収容凹部を引っ張る等して扉体と支持枠との境界部位を拡げようとする行為が困難になる。これにより、防犯機能の向上が実現できる。
【０２１６】
特徴Ａ７．前記施錠装置は、鍵による解錠操作の対象としての解錠操作部（シリンダ錠７８）を有し、
前記解錠操作部は、前記縦枠フレーム部材を挟んで前記ベース体とは反対側に配置されていることを特徴とする特徴Ａ１乃至特徴Ａ６のいずれか１つに記載の遊技機。
【０２１７】
特徴Ａ７によれば、解錠操作部をベース体や施錠機構部分とは別体とすることで、上記収容領域を解錠操作部に合わせて大型化する必要がなくなり、縦枠部分全体での薄型化に貢献できる。
【０２１８】
特徴Ａ８．前記解錠操作部は、前記支持枠における前記縦枠フレーム部材以外の部分に遊技機前方から取り付けられていることを特徴とする特徴Ａ７に記載の遊技機。
【０２１９】
特徴Ａ８によれば、施錠装置の主要な構成（鉤部材や連動部材等）と解錠操作部とを別体としても、支持枠に対する施錠装置の取付作業が困難になることを抑制できる。
【０２２０】
特徴Ａ９．前記支持枠には、前記遊技盤が載置される載置部（下側壁部３１２）が設けられており、
前記解錠操作部は前記載置部よりも下側に配置されていることを特徴とする特徴Ａ７又は特徴Ａ８に記載の遊技機。
【０２２１】
特徴Ａ９によれば、解錠操作部を載置部（遊技盤又は遊技領域）よりも下方に配置することで解錠操作部の存在が遊技領域を圧迫する要因になることを抑制できる。
【０２２２】
なお、本特徴に示すオフセット配置によれば、遊技盤を支持枠の正面側から取り付けるタイプの遊技機においては、解錠操作部の存在が邪魔になることもなく、遊技盤の着脱作業を妨げない。
【０２２３】
特徴Ａ１０．前記両縦枠フレーム部材に跨るようにして中間フレーム部材（中間フレーム部材５５）が設けられており、
前記中間フレームの上部が前記載置部又は前記載置部を支える支持部として機能しており、
前記中間フレームの下部に前記解錠操作部が固定されていることを特徴とする特徴Ａ９に記載の遊技機。
【０２２４】
特徴Ａ１０に示す中間フレーム部材を採用すれば、支持枠自体の強度向上が実現できる。そして、中間フレーム部材の下部に解錠操作部を固定する構成とすれば、特徴Ａ８や特徴Ａ９に示した構成を好適に実現でき、更には解錠操作部の取付強度の向上も期待できる。
【０２２５】
なお、本特徴を「前記両縦枠フレーム部材に跨るようにして中間フレーム部材（中間フレーム部材５５）が設けられており、前記中間フレームに前記解錠操作部が固定されていることを特徴とする特徴Ａ７乃至特徴Ａ９のいずれか１つに記載の遊技機。」とすることも可能である。
【０２２６】
また、特徴Ａ１等に示した横枠フレーム部材のうち下側の一方と本特徴に示す中間フレーム部材とを同一のものとすることも可能である。
【０２２７】
特徴Ａ１１．前記中間フレーム部材は、
所定の縦幅を有し遊技機前方を向く横長板状の本体部（板状部５６）と、
前記本体部の上端部から折れ曲るようにして設けられ、前記載置部又は前記支持部として機能する折曲部（折曲部５７）と
を有し、
前記本体部に前記シリンダ錠が固定されていることを特徴とする特徴Ａ１０に記載の遊技機。
【０２２８】
特徴Ａ１０に示したように中間フレーム部材を用いて支持枠の補強及び遊技盤の支持強度の担保を図る構成においては、中間フレーム部材に本体部と折曲部とを設けることが好ましい。ここで、上記解錠操作部については、遊技機前方を向いている本体部に固定する構成とすれば、解錠操作部の取付作業が困難になることを抑制できる。
【０２２９】
特徴Ｂ１．前面に遊技領域（遊技領域ＰＥ）が形成された遊技盤（遊技盤８０）と、
前記遊技盤を支持する支持枠（内枠ベース体５０）と
を備え、
前記支持枠に対して前記遊技盤が遊技機前方から取り付けられている遊技機において、
前記支持枠は、上下に延びる一組の縦枠部（縦フレーム部材５１，５２）と、それら各縦枠部の上下異なる二箇所を繋ぐようにして設けられた横枠部（横フレーム部材５３，５４）とを有し、それら枠部によって囲まれた空間が前記遊技盤を収容する収容領域となるように構成されており、
前記遊技盤における左右両端のうち一端側に設けられ、遊技球発射装置（遊技球発射機構１１０）から発射された遊技球を前記遊技領域へと誘導する誘導レール（誘導レール１００）を備え、
前記一組の縦枠部のうち前記誘導レールが設けられている側とは反対側に位置する縦枠部には、遊技盤の端面に対して側方から対向する対向部（右側壁部３１４）が形成されており、
前記対向部の前端部は、前記遊技盤よりも前方に延出する延出部（延出部３３１ａ）となっており、当該延出部が前記誘導レールとともに前記遊技領域を区画形成していることを特徴とする遊技機。
【０２３０】
特徴Ｂ１によれば、遊技領域を区画する縦枠部の対向部（詳しくは延出部）が遊技盤の前方に設けているのではなく、遊技盤の側方に設けている。このように、遊技領域を区画する構成を遊技盤と横並びに配置することで遊技領域の拡張に貢献できる。また、遊技機が本来有する縦枠部を遊技領域区画用の手段として活用することで、遊技盤側に遊技領域を区画するための部材等を配設する必要がなくなり構成の簡略化にも貢献できる。
【０２３１】
特徴Ｂ２．前記縦枠部の前記対向部は、前記遊技盤の端面と当接又は近接するように構成されていることを特徴とする特徴Ｂ１に記載の遊技機。
【０２３２】
遊技盤の端面と縦枠部とが当接又は近接する構成として対向部（延出部）と遊技盤との境界部位に生じる隙間を小さくすることにより、当該境界部位の存在が延出部に当たった遊技球の挙動に引っ掛かり等の乱れが生じることを抑制することができる。これにより、特徴Ｂ１に示した遊技領域の拡張に起因した不都合の発生を回避することができる。
【０２３３】
なお、本特徴に示す「近接」とは遊技盤の端面と縦枠部の対向部との隙間寸法が、遊技球の半径寸法よりも小さいことを示すものである。
【０２３４】
特徴Ｂ３．前記遊技盤は、左右両端部のうち前記対向部が設けられた縦枠部とは反対側の端部を基端として回動することで、前記支持枠に対して着脱可能となっており、
前記対向部において前記遊技盤の端面と対向している部分は、当該遊技盤の幅方向を向く平面状をなしており、
前記遊技盤において前記対向部と対向している端面の後部は、遊技機後方に向けて同遊技盤の横幅が小さくなるように傾斜又は湾曲しており、
前記遊技盤において前記対向部と対向している端面の前部は、前記対向部と平行な平面状をなすように形成されていることを特徴とする特徴Ｂ１又は特徴Ｂ２に記載の遊技機。
【０２３５】
特徴Ｂ３に示すように遊技盤を回動させて支持枠へ装着するタイプの遊技機においては、遊技盤の着脱作業を行う際の作業効率を向上させることができる反面、遊技盤と縦枠部（対向部）との間に動作隙等の逃がし構造を設ける必要がある。しかしながら、このような動作隙が大きくなることは上記理由から好ましくない。このような不具合を解消すべく、対向部を遊技機前方に傾ける対策を講じることも可能であるが、これでは対向部から跳ね返った遊技球が遊技機前方へ逸れることを回避できなくなるため好ましくない。
【０２３６】
この点、本特徴に示す構成によれば、遊技盤の端面の後部を傾斜又は湾曲させて遊技盤を装着完了位置に配置する際の対向部（縦枠部）との引っ掛かりを回避しつつ（動作隙を確保しつつ）、一旦装着完了位置に配置されれば遊技盤の端面（前側の平面部分）と対向部とが当接又は近接した状態とすることができる。このようにして、遊技盤と縦枠部（対向部）との間に生じる境界に隙間が発生しない又はできるだけ小さくなるように工夫することで、遊技盤着脱時の利便性を向上しつつ特徴Ａ１や特徴Ａ２に示した効果を好適に発揮させることができる。
【０２３７】
また、遊技盤の端部に釘や装飾部材等の各種遊技部品を配置する場合であっても、上記平面部を有することで、遊技盤の厚みが過度に薄くなることがなく、それら遊技部品の取り付け強度の低下を抑えることができる。
【０２３８】
なお、前記遊技盤を、前記支持枠に対して前記遊技盤の装着が完了した状態では、当該遊技盤の端面と前記対向部とが当接した状態となるように構成することにより、実用上好ましい構成が実現される。
【０２３９】
特徴Ｂ４．前記対向部の前記延出部において遊技領域側を向いている部分には、遊技球が衝突した際の衝撃を緩和する緩衝部材（緩衝部材３６０）が設けられていることを特徴とする特徴Ｂ１乃至特徴Ｂ３のいずれか１つに記載の遊技機。
【０２４０】
特徴Ｂ１等に示したように、縦枠部自体が強度部品である場合には、対向部を撓ませて遊技球の勢いを弱める構成とすることは縦枠部本来の機能（強度担保）を低下させる要因となり得るため好ましくない。また、繰り返しの遊技球の衝突によって対向部が変形したり疲労破壊したりする等の不具合が生じ得るなるため好ましくない。
【０２４１】
この点、本特徴に示すように、縦枠部とは別に緩衝部材を設けることで、このような不都合を解消できる。
【０２４２】
特徴Ｂ５．前記両縦枠部のうち前記支持枠の回動先端側に配置された一方は上下に延びる長板部（長板部３３１）を有し、当該長板部における内面が前記対向部を構成しており、
前記延出部には前記遊技領域側とは反対側に凸となる突条部が形成されており、この突条部によって生じた凹み部分（溝部３５９）に前記緩衝部材が収容されていることを特徴とする特徴Ｂ４に記載の遊技機。
【０２４３】
特徴Ｂ４によれば、縦枠部の断面を稼いで強度向上を実現できるだけでなく、遊技領域への緩衝部材の張り出しを抑えることで、特徴Ｂ４に示した効果を享受しつつ、それに起因した遊技領域の圧迫を抑えることができる。
【０２４４】
特徴Ｂ６．外枠（外枠１１）に対して前記支持枠が回動可能に取り付けられた遊技機であって、
前記支持枠における回動先端部に設けられ、前記支持枠を閉じた状態で施錠する施錠装置（施錠装置７５）を備え、
前記長板部において前記遊技盤とは反対側を向いている外面は、前記施錠装置の取付部となっており、
前記施錠装置には、前記誘導レールによって誘導された遊技球が前記対向部に当たる位置よりも上側と同誘導レールによって誘導された遊技球が前記対向部に当たる位置よりも下側とに離間して配置され、前記外枠に配設された鉤受け部材（鉤受け部材１９）に係合する複数の鉤部材（内枠用鉤部材７７）が設けられており、
前記凹み部分は、それら鉤部材の配設箇所の間に位置するようにして形成されていることを特徴とする特徴Ｂ５に記載の遊技機。
【０２４５】
特徴Ｂ６に示すように施錠装置を用いて支持枠の開放を阻止する構成においては、鉤部材を遊技機の上下にある程度離して配置することが好ましい。そこで、このような離間スペースを緩衝部材の配置に利用すれば、対向部における施錠装置の取付部において凹み部分（緩衝部材）と鉤部材と上手く共存させることができる。
【０２４６】
特徴Ｂ７．前記施錠装置は、前記鉤部材と、所定の解錠操作に基づいて動作することで前記鉤部材を係合状態から非係合状態に切り替え可能な連動部材（連動杆３６１）と、それら鉤部材及び前記連動部材が搭載される取付板部（板状部３５２）が形成されたベース体（ベース体３５１）とを有してなり、前記取付板部が前記長板部の外面と対向するようにして配置されており、
前記施錠装置が前記縦枠部に取り付けられた状態では前記取付板部と前記長板部とが隙間を隔てて相対向し、それら取付板部及び長板部によって挟まれた空間が前記鉤部材及び前記連動部材を収容する収容領域（収容領域ＩＳ）として機能していることを特徴とする特徴Ｂ６に記載の遊技機。
【０２４７】
施錠装置を支持枠の側部に配置している場合には、施錠装置の鉤部材や連動部材に直接アクセスされて不正に解錠操作が行われることが懸念される。この点、本特徴に示すように施錠装置の機構部分（鉤部材や連動部材等）を収容領域に配して露出を抑えることで、同機構部分への不正なアクセスを抑制することができる。これにより、防犯機能の向上が期待できる。
【０２４８】
また、取付板部と長板部とを隙間を隔てて相対向させるようにして固定すれば、断面係数を大きくして上記縦枠部分の強度の更なる向上を実現することができる。
【０２４９】
しかしながら、このような構成においては、上記各種効果が期待できる一方で、緩衝部材の配置と鉤部材との配置が横並びとなることで、縦枠部の幅が増大し得る。これは遊技領域の圧迫を招く要因となるため好ましくない。
【０２５０】
この点、特徴Ｂ６との組合せにおいては、収容領域内にて鉤部材と凹み部分（緩衝部材）とを好適に共存させることが可能となり、上記不都合の発生を抑えることができる。
【０２５１】
特徴Ｂ８．前記長板部の前端部は前記遊技盤よりも前方に延出する延出部となっており、
前記延出部の前端部には、前記遊技盤とは反対側に起立し遊技機正面側を向くように形成された前面部（前面部３３５）と、その前面部から遊技機後方へ折り返して形成された折返部（返し部３３６）とが形成され、それら延出部、前面部及び折返部によって前記ベース体の前端部が挿入される挿入部（挿入部３４０）が形成されており、
前記挿入部及び前記ベース体は、前記挿入部に前記ベース体が遊技機後方から挿入されることにより前記縦枠部と前記ベース体とが嵌合するように構成されていることを特徴とする特徴Ｂ７に記載の遊技機。
【０２５２】
施錠装置を縦枠部とは別体で設け、両者を一体化させることで占有領域の増大を抑えつつ強度担保を実現しようとした場合、両者の固定箇所はできるだけ多いほうが好ましい。しかしながら、このように固定箇所を増やすことは遊技機製造時や施錠装置のメンテナンスを行う際の作業性の低下を招く要因となり得る。
【０２５３】
この点、本特徴によれば、ベース体を挿入部に挿入することで、両者が嵌合した状態となるため、上記不都合の発生を抑制できる。また、ネジ止め等の本固定作業時に施錠装置を持つ必要が無いので取り付けが容易になる。
【０２５４】
更には、嵌合部については、その上下方向における範囲を長く設定することができ、延出部の強度確保に施錠装置（ベース体）を利用することができる。これにより、遊技球の繰り返しの衝突による対向部の変形等の不都合を好適に抑制することができる。
【０２５５】
なお、本特徴に示す構成については、特徴Ｂ６に適用することも可能である。この場合、「前記施錠装置は、前記鉤部材と、所定の解錠操作に基づいて動作することで前記鉤部材を係合状態から非係合状態に切り替え可能な連動部材（連動杆３６１）と、それら鉤部材及び前記連動部材が搭載される取付板部（板状部３５２）が形成されたベース体（ベース体３５１）とを有してなり、前記取付板部が前記長板部の前記外面と対向するようにして配置されており、前記延出部の前端部には、前記遊技盤とは反対側に起立し遊技機正面側を向くように形成された前面部（前面部３３５）と、その前面部から遊技機後方へ折り返して形成された折返部（返し部３３６）とが形成され、それら延出部、前面部及び折返部によって前記ベース体の前端部が挿入される挿入部（挿入部３４０）が形成されており、前記挿入部及び前記ベース体は、前記挿入部に前記ベース体が遊技機後方から挿入されることにより前記縦枠部と前記ベース体とが嵌合するように構成されていることを特徴とする特徴Ｂ６に記載の遊技機」とすればよい。
【０２５６】
特徴Ｂ９．前記縦枠部には、前記対向部から起立し遊技盤と当該対向部との境界部位を遊技機後方から覆う覆い部（対向部３６４）が形成されていることを特徴とする特徴Ｂ１乃至特徴Ｂ８のいずれか１つに記載の遊技機。
【０２５７】
特徴Ｂ９によれば、境界部位を通じて遊技機の奥側（後方）が見えてしまうことを抑制し、対向部による遊技領域の区画を行う構成において見栄えの向上が期待できる。また、覆い部は対向部から起立して設けられていることで、縦枠部の強度向上にも貢献することができる。
【０２５８】
なお、この覆い部によって遊技盤の装着完了位置を規定する構成とすることも可能である。
【０２５９】
特徴Ｂ１０．前記誘導レールの先端部分は、前記対向部と垂直又は略垂直に延びていることを特徴とする特徴Ｂ１乃至特徴Ｂ９のいずれか１つに記載の遊技機。
【０２６０】
特徴Ｂ１に示すように縦枠部（対向部）を遊技領域を区画する手段として利用する場合には、当該縦枠部が遊技機の上端から下端まで延びているため、誘導レールによって遊技球を導く位置に何らの制約も生じない。そこで、本特徴に示すように誘導レールの先端部分を対向部と垂直又は略垂直に延びる構成とすることで、遊技領域における対向部側となる部分を上方に拡張にすることが可能となる。これにより、更なる遊技領域の拡張に貢献することができる。
【０２６１】
以下に、以上の各特徴を適用し得る遊技機の基本構成を示す。
【０２６２】
パチンコ遊技機：遊技者が操作する操作手段（遊技球発射ハンドル４１）と、その操作手段の操作に基づいて遊技球を発射する遊技球発射手段（遊技球発射機構１１０）と、その発射された遊技球を所定の遊技領域に導く球通路（誘導レール１００）と、遊技領域内に配置された各遊技部品（釘等）とを備え、それら各遊技部品のうち所定の通過部（一般入賞口８１等）を遊技球が通過した場合に遊技者に特典を付与する遊技機。
【符号の説明】
【０２６３】
１０…遊技機としてのパチンコ機、１１…外枠、１２…遊技機主部、１３…内枠、１４…前扉枠、２５…周壁部、５０…内枠ベース体、５１，５２…縦フレーム部材、５３，５４…横フレーム部材、５５…中間フレーム部材、７５…施錠装置、７６…前扉用鉤部材、７７…内枠用鉤部材、７８…シリンダ錠、８０…遊技盤、８０ａ…板体、８０ｂ…平面部、８０ｃ…湾曲部、９９…遊技領域区画部材、１００…誘導レール、１０２…外レール、３０２…周壁部、３１４…右側壁部、３３１…長板部、３３１ａ…延出部、３３５…前面部、３３６…返し部、３４０…挿入部、３４５…対向板部、３４６…溝状部、３５１…ベース体、３５２…板状部、３５３…外周フランジ部、３５４…取付板部、３５９…収容凹部、３６０…緩衝部材、３６１…連動杆、３６４…対向部、ＩＳ…収容領域、ＰＥ…遊技領域。
【図１】
2014018549.tif 000003
【図２】
2014018549.tif 000004
【図３】
2014018549.tif 000005
【図４】
2014018549.tif 000006
【図５】
2014018549.tif 000007
【図６】
2014018549.tif 000008
【図７】
2014018549.tif 000009
【図８】
2014018549.tif 000010
【図９】
2014018549.tif 000011
【図１０】
2014018549.tif 000012
【図１１】
2014018549.tif 000013
【図１２】
2014018549.tif 000014
【図１３】
2014018549.tif 000015
【図１４】
2014018549.tif 000016
【図１５】
2014018549.tif 000017
【図１６】
2014018549.tif 000018
【図１７】
2014018549.tif 000019
【図１８】
2014018549.tif 000020
【図１９】
2014018549.tif 000021
【図２０】
2014018549.tif 000022
【図２１】
2014018549.tif 000023